(57)【要約】【課題】ＩＣカードを用いなくても、放送事業者から、受信装置を個別に特定してメッセージを配信することが可能なメッセージ送信装置を提供する。【解決手段】メッセージ送信装置１Ｄは、メッセージ受信装置を識別するための個別識別子をネットワークＮを介して取得し識別子記憶手段１４に書き込み記憶させる識別子登録手段１９Ｂを備え、個別メッセージ生成手段１６が、識別子記憶手段１４に記憶されている個別識別子を宛先として個別メッセージを生成することを特徴とする。【選択図】図１７
2011044948.tif 000002
【特許請求の範囲】
【請求項１】
メッセージ受信装置に対する共通のメッセージである共通メッセージを生成する共通メッセージ生成手段と、各メッセージ受信装置に対して個別に送信する個別メッセージを生成する個別メッセージ生成手段とを備え、前記共通メッセージおよび前記個別メッセージを、放送送信手段を介して、放送データとして送信するメッセージ送信装置において、
前記メッセージ受信装置との間で通信データを送受信する通信送受信手段と、
前記メッセージ受信装置を識別する個別識別子を記憶するための識別子記憶手段と、
前記通信送受信手段を介して、前記通信データとして、前記メッセージ受信装置で生成された個別識別子と、前記メッセージ受信装置の使用者の個人情報とを受信し、当該個別識別子が、前記識別子記憶手段に記憶されているか否かを判定する個別識別子重複判定手段と、
この個別識別子重複判定手段において、当該個別識別子が記憶されていないと判定された場合に、当該個別識別子を前記個人情報とともに前記識別子記憶手段に書き込み記憶させる個別識別子登録手段と、
前記個別識別子重複判定手段において、当該個別識別子が記憶されていると判定された場合に、他の個別識別子を要求する旨を、前記通信送受信手段を介して、前記メッセージ受信装置に送信する個別識別子再要求手段と、を備え、
前記個別メッセージ生成手段は、外部から指定された個人情報に対応する前記個別識別子を宛先として個別メッセージを生成することを特徴とするメッセージ送信装置。
【請求項２】
前記個別メッセージ生成手段は、前記共通メッセージで送信される予め定めたメッセージ情報を処理する対象となるメッセージ受信装置のグループを指定するメッセージ制御情報を付加したメッセージ制御情報通知を、前記個別識別子を宛先とした前記個別メッセージとして生成するメッセージ制御情報通知生成手段を備え、
前記共通メッセージ生成手段は、前記メッセージ制御情報を宛先とし、前記メッセージ情報を内容とした共通メッセージであるメッセージ情報通知を生成するメッセージ情報通知生成手段を備えることを特徴とする請求項１に記載のメッセージ送信装置。
【請求項３】
前記メッセージ制御情報通知生成手段は、前記個別識別子が前記識別子記憶手段に記憶された後、放送番組を視聴可能とするグループを示すメッセージ制御情報を付加したメッセージ制御情報通知を、前記個別識別子を宛先とした前記個別メッセージとして生成することを特徴とする請求項２に記載のメッセージ送信装置。
【請求項４】
メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、
前記メッセージ送信装置との間で通信データを送受信する通信送受信手段と、
当該メッセージ受信装置の内部情報に基づいて、当該メッセージ受信装置を個別に識別するための個別識別子を生成して記憶手段に書き込み記憶させる個別識別子生成手段と、
この個別識別子生成手段で生成された個別識別子と、当該メッセージ受信装置の使用者の個人情報とを前記メッセージ送信装置に登録する旨の要求を、前記通信送受信手段を介して、前記通信データとして送信し、前記通信送受信手段を介して、前記メッセージ送信装置から、他の個別識別子を要求する旨の指示を受信した場合に、前記個別識別子生成手段に、個別識別子の再生成を要求する個別識別子登録要求手段と、を備え、
前記個別メッセージ受信手段は、個別メッセージの宛先が、前記記憶手段に記憶されている個別識別子と一致する場合に、前記個別メッセージを当該メッセージ受信装置宛のメッセージとして受信することを特徴とするメッセージ受信装置。
【請求項５】
前記個別メッセージ受信手段は、前記共通メッセージとして送信されるメッセージ情報を処理する対象となるメッセージ受信装置のグループを指定するメッセージ制御情報を付加したメッセージ制御情報通知を、前記個別メッセージとして受信した際に、前記メッセージ制御情報を前記記憶手段に書き込み記憶させるメッセージ制御情報通知解析手段をさらに備え、
前記共通メッセージ受信手段は、前記放送受信手段を介して前記放送データとして受信した前記共通メッセージの宛先が、前記記憶手段に記憶されているメッセージ制御情報と一致する場合に、前記共通メッセージに付加されているメッセージ情報を当該メッセージ受信装置宛のメッセージとして受信するメッセージ情報通知解析手段を備えることを特徴とする請求項４に記載のメッセージ受信装置。
【請求項６】
外部からの指示により、前記記憶手段に記憶されている前記メッセージ制御情報および前記個別識別子を初期化する初期化手段をさらに備えることを特徴とする請求項５に記載のメッセージ受信装置。
【請求項７】
前記個別識別子生成手段は、前記内部情報として、乱数発生手段で発生される乱数、計時手段で計時される現在時刻、または、予め定めた受信機情報の少なくとも１つに対して、予め定めたハッシュ関数によりハッシュ値を演算し、前記個別識別子を生成することを特徴とする請求項４から請求項６のいずれか一項に記載のメッセージ受信装置。
【請求項８】
共通メッセージを生成する共通メッセージ生成手段と、個別メッセージを生成する個別メッセージ生成手段とを備え、放送送信手段を介して、前記共通メッセージおよび前記個別メッセージを放送データとして送信するメッセージ送信装置と、放送受信手段を介して、前記共通メッセージを受信する共通メッセージ受信手段と、前記放送受信手段を介して、前記個別メッセージを受信する個別メッセージ受信手段とを備えたメッセージ受信装置と、を備え、メッセージの配信を行うメッセージ配信システムであって、
前記メッセージ送信装置は、前記個別メッセージ生成手段において、通信送受信手段を介して通知された前記メッセージ受信装置の個別識別子をメッセージの宛先とした個別メッセージを生成して、前記メッセージ受信装置に送信し、
前記メッセージ受信装置は、
当該メッセージ受信装置の内部情報に基づいて、当該メッセージ受信装置を個別に識別するための個別識別子を生成して記憶手段に書き込み記憶させる個別識別子生成手段と、
この個別識別子生成手段で生成された個別識別子と、当該メッセージ受信装置の使用者の個人情報とを前記メッセージ送信装置に登録する旨の要求を、通信送受信手段を介して通信データとして送信し、前記通信送受信手段を介して、前記メッセージ送信装置から、前記個別識別子が重複している旨の通知を受信した場合に、前記個別識別子生成手段に、個別識別子の再生成を要求する個別識別子登録要求手段と、を備え、
前記個別メッセージ受信手段は、個別メッセージの宛先が、前記記憶手段に記憶されている個別識別子と一致する場合に、前記個別メッセージを当該メッセージ受信装置宛のメッセージとして受信することを特徴とするメッセージ配信システム。
【請求項９】
前記メッセージ送信装置は、
前記個別メッセージ生成手段に、前記共通メッセージで送信される予め定めたメッセージ情報を処理する対象となるメッセージ受信装置のグループを指定するメッセージ制御情報を付加したメッセージ制御情報通知を、前記個別識別子を宛先とした前記個別メッセージとして生成するメッセージ制御情報通知生成手段を備え、
前記共通メッセージ生成手段に、前記メッセージ制御情報を宛先とし、前記メッセージ情報を内容とした共通メッセージであるメッセージ情報通知を生成するメッセージ情報通知生成手段を備え、
前記メッセージ受信装置は、
前記個別メッセージ受信手段に、前記メッセージ制御情報通知を、前記個別メッセージとして受信した際に、前記メッセージ制御情報を前記記憶手段に書き込み記憶させるメッセージ制御情報通知解析手段をさらに備え、
前記共通メッセージ受信手段に、前記放送受信手段を介して前記放送データとして受信した前記共通メッセージの宛先が、前記記憶手段に記憶されているメッセージ制御情報と一致する場合に、前記共通メッセージに付加されているメッセージ情報を当該メッセージ受信装置宛のメッセージとして受信するメッセージ情報通知解析手段を備えることを特徴とする請求項８に記載のメッセージ配信システム。
【発明の詳細な説明】
【技術分野】
【０００１】
本発明は、デジタル放送によりメッセージを配信するためのメッセージ送信装置、メッセージ受信装置およびメッセージ配信システムに関する。
【背景技術】
【０００２】
近年、ＢＳデジタル放送、ＣＳデジタル放送、地上デジタル放送等のデジタル放送が普及し、一般家庭において、高品質な映像・音声サービス、データ放送、双方向サービス等、種々のサービスを享受することが可能になっている。
このようなデジタル放送においては、放送番組の視聴を契約の有無により制限するため、放送番組の契約を行っていないデジタル放送受信装置（以下、受信装置という）において、画面上に契約を行っていない旨のメッセージを表示させる等の処理を行っている。
この個別の受信装置において視聴を制限する方法としては、受信装置ごとに予め付与されるＩＣカード（ＣＡＳ〔Conditional Access System〕カード）により制限する方法が一般的である（例えば、特許文献１参照）。
【０００３】
このＩＣカードにより視聴を制限する方法では、まず、予め個別の識別子（カード番号等）が割り当てられて書き込まれたＩＣカードが、受信装置とともに使用者（視聴者）に配布される。そして、放送事業者は、契約が行われていない受信装置の識別子を宛先情報として、契約が行われていない旨の個別のメッセージを放送波により配信する。このメッセージは、ＭＰＥＧ−２  ＴＳ（トランスポートストリーム）で配信される放送の場合、社団法人電波産業会（ＡＲＩＢ）のＳＴＤ−Ｂ２５で規格化されているＥＭＭ（Entitlement Management Message）形式で配信される。
【０００４】
一方、受信装置側では、メッセージの宛先情報が、当該受信装置に装着されているＩＣカードの識別子と一致するメッセージのみを取得する。これによって、個別に契約が行われていない旨のメッセージを取得した受信装置は、画面上にその旨のメッセージを表示することで、視聴制限を行っている。
このように、現在は、個々の受信装置に配布されたＩＣカードの識別子を用いて、放送事業者側から、個別のメッセージを配信することで、受信装置における視聴制限等の処理を行っている。
【先行技術文献】
【特許文献】
【０００５】
【特許文献１】特開２００８−２３６０００号公報
【発明の概要】
【発明が解決しようとする課題】
【０００６】
しかし、前記したＩＣカードによって受信装置を特定する方法では、予め受信装置ごとに識別子を割り当てたＩＣカードを準備しなければならない。このため、放送事業者側では、製造するすべての受信装置のＩＣカードに対して、予め識別子を割り当てなければならないため、ＩＣカードの識別子を管理するための管理コストが莫大なものとなっている。また、個々の受信装置にＩＣカードを準備するため、カードそのものの製造コストが必要になる。
このように、従来のＩＣカードを用いた方法では、管理コストやカード製造に係るコストが大きくなってしまうという問題がある。
【０００７】
また、有料放送における課金方式の一部としてＩＣカードを使用する場合であれば、コストの増大を視聴料金によって軽減することは可能であるが、無料放送のコンテンツ保護の一部としてＩＣカードを使用する場合、ＩＣカードのコスト増大が大きな問題となってしまう。そこで、現在では、ＩＣカードを使用しないコンテンツ配信の仕組みが望まれている。
【０００８】
本発明は、以上のような問題点に鑑みてなされたものであり、受信装置に予め個別のＩＣカードを付与しなくても、放送事業者から、個別に受信装置を特定してメッセージを配信することが可能なメッセージ送信装置、メッセージ受信装置およびメッセージ配信システムを提供することを目的とする。
【課題を解決するための手段】
【０００９】
本発明は、前記目的を達成するため、まず、請求項１に記載のメッセージ送信装置は、メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、通信送受信手段と、識別子記憶手段と、個別識別子重複判定手段と、個別識別子登録手段と、個別識別子再要求手段とを備える構成とした。
【００１０】
かかる構成によれば、メッセージ送信装置は、個別識別子重複判定手段によって、通信送受信手段を介して、通信データとして、メッセージ受信装置で生成された個別識別子と、メッセージ受信装置の使用者の個人情報とを受信し、当該個別識別子が識別子記憶手段に記憶されているか否かを判定する。そして、メッセージ送信装置は、個別識別子登録手段によって、個別識別子重複判定手段において、当該個別識別子が記憶されていないと判定された場合に、当該個別識別子を個人情報と対応付けて識別子記憶手段に書き込み記憶する。これによって、放送事業者側のメッセージ送信装置には、個々のメッセージ受信装置を特定するための個別情報（個別識別子、個人情報）が登録されることになる。
【００１１】
また、メッセージ送信装置は、個別識別子再要求手段によって、個別識別子重複判定手段において、当該個別識別子が記憶されていると判定された場合に、他の個別識別子を要求する旨を、通信送受信手段を介して、メッセージ受信装置に送信する。これによって、メッセージ受信装置が、他の個別識別子を再度生成されることになる。
そして、メッセージ送信装置は、個別メッセージ生成手段において、外部から指定された個人情報に対応する個別識別子を宛先として個別メッセージを生成する。
【００１２】
また、請求項２に記載のメッセージ送信装置は、請求項１に記載のメッセージ送信装置において、個別メッセージ生成手段にメッセージ制御情報通知生成手段を備え、共通メッセージ生成手段にメッセージ情報通知生成手段を備える構成とした。
【００１３】
かかる構成によれば、メッセージ送信装置は、個別メッセージ生成手段のメッセージ制御情報通知生成手段によって、共通メッセージとして送信される予め定めたメッセージ情報を処理する対象となるメッセージ受信装置のグループを指定するメッセージ制御情報を付加したメッセージ制御情報通知を、個別識別子を宛先とした個別メッセージとして生成する。これによって、個別メッセージでメッセージ制御情報を受信したメッセージ受信装置は、当該メッセージ制御情報の値によって、グループ化されることになる。例えば、視聴契約の有無等によって、個々のメッセージ受信装置がグループ化される。
【００１４】
そして、メッセージ送信装置は、共通メッセージ生成手段のメッセージ情報通知生成手段によって、メッセージ制御情報を宛先とし、メッセージ情報を内容とした共通メッセージであるメッセージ情報通知を生成する。これによって、メッセージ送信装置は、共通メッセージで、グループ化したメッセージ受信装置に対してメッセージを送信することが可能になる。
【００１５】
さらに、請求項３に記載のメッセージ送信装置は、請求項２に記載のメッセージ送信装置において、前記メッセージ制御情報通知生成手段は、前記個別識別子が前記識別子記憶手段に記憶された後、放送番組を視聴可能とするグループを示すメッセージ制御情報を付加したメッセージ制御情報通知を、前記個別識別子を宛先とした前記個別メッセージとして生成することを特徴とする。
【００１６】
かかる構成によれば、メッセージ送信装置は、メッセージ制御情報通知生成手段によって、メッセージ制御情報の値により、メッセージ受信装置を、放送番組を視聴可能か否かのいずれかのグループに分けることができる。
【００１７】
また、請求項４に記載のメッセージ受信装置は、メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、通信送受信手段と、個別識別子生成手段と、個別識別子登録要求手段とを備える構成とした。
【００１８】
かかる構成によれば、メッセージ受信装置は、個別識別子生成手段によって、当該メッセージ受信装置の内部情報に基づいて、当該メッセージ受信装置を個別に識別するための個別識別子を生成して記憶手段に書き込み記憶する。そして、メッセージ受信装置は、個別識別子登録要求手段によって、個別識別子生成手段で生成された個別識別子と、当該メッセージ受信装置のネットワークアドレスと、当該メッセージ受信装置の使用者の個人情報とをメッセージ送信装置に登録する旨の要求を、通信送受信手段を介して、通信データとして送信する。そして、通信送受信手段を介して、メッセージ送信装置から、他の個別識別子を要求する旨の指示を受信した場合に、個別識別子生成手段に、個別識別子の再生成を要求する。これによって、メッセージ受信装置において、他の個別識別子が再度生成されることになる。
そして、メッセージ受信装置は、個別メッセージ受信手段において、個別メッセージの宛先が、記憶手段に記憶されている個別識別子と一致する場合に、個別メッセージを当該メッセージ受信装置宛のメッセージとして受信する。
【００１９】
また、請求項５に記載のメッセージ受信装置は、請求項４に記載のメッセージ受信装置において、個別メッセージ受信手段にメッセージ制御情報通知解析手段をさらに備え、共通メッセージ受信手段にメッセージ情報通知解析手段を備える構成とした。
【００２０】
かかる構成によれば、メッセージ受信装置は、個別メッセージ受信手段のメッセージ制御情報通知解析手段によって、共通メッセージとして送信されるメッセージ情報を処理する対象となるメッセージ受信装置のグループを指定するメッセージ制御情報を付加したメッセージ制御情報通知を、個別メッセージとして受信した際に、メッセージ制御情報を記憶手段に書き込み記憶する。これによって、メッセージ受信装置は、当該メッセージ制御情報の値によって、グループ化されることになる。例えば、視聴契約の有無等によって、個々のメッセージ受信装置がグループ化される。
【００２１】
そして、メッセージ受信装置は、共通メッセージ受信手段のメッセージ情報通知解析手段によって、放送受信手段を介して放送データとして受信した共通メッセージの宛先が、記憶手段に記憶されているメッセージ制御情報と一致する場合に、共通メッセージに付加されているメッセージ情報を当該メッセージ受信装置宛のメッセージとして受信する。これによって、メッセージ受信装置は、共通メッセージで、同一グループ宛のメッセージを受信することが可能になる。
【００２２】
さらに、請求項６に記載のメッセージ受信装置は、請求項５に記載のメッセージ受信装置において、初期化手段をさらに備える構成とした。
【００２３】
かかる構成によれば、メッセージ受信装置は、初期化手段によって、外部からの指示により、記憶手段に記憶されているメッセージ制御情報および個別識別子を初期化する。これによって、メッセージ受信装置は、メッセージ送信装置から通知された情報（メッセージ制御情報）やメッセージ受信装置で生成した情報（個別識別子）を初期化することができる。
【００２４】
また、請求項７に記載のメッセージ受信装置は、請求項４から請求項６のいずれか一項に記載のメッセージ受信装置において、前記個別識別子生成手段は、前記内部情報として、乱数発生手段で発生される乱数、計時手段で計時される現在時刻、または、予め定めた受信機情報の少なくとも１つに対して、予め定めたハッシュ関数によりハッシュ値を演算し、前記個別識別子を生成することを特徴とする。
【００２５】
かかる構成によれば、メッセージ受信装置は、個別識別子生成手段によって、乱数、現在時刻または受信機情報の少なくとも１つから、予め定めたハッシュ関数によりハッシュ値を演算し、個別識別子を生成する。なお、ここで、受信機情報は、例えば、当該受信装置のメーカ名、機種名（型番）等の文字コードを数値化したデータである。これによって、個別識別子生成手段は、他のメッセージ受信装置との間で、重複した個別識別子となる可能性を低減した個別識別子を生成することができる。
【００２６】
また、請求項８に記載のメッセージ配信システムは、共通メッセージを生成する共通メッセージ生成手段と、個別メッセージを生成する個別メッセージ生成手段とを備え、放送送信手段を介して、前記共通メッセージおよび前記個別メッセージを放送データとして送信するメッセージ送信装置と、放送受信手段を介して、前記共通メッセージを受信する共通メッセージ受信手段と、前記放送受信手段を介して、前記個別メッセージを受信する個別メッセージ受信手段とを備えたメッセージ受信装置と、を備え、メッセージの配信を行うメッセージ配信システムであって、前記メッセージ送信装置は、前記個別メッセージ生成手段において、通信送受信手段を介して予め通知された前記メッセージ受信装置の個別識別子をメッセージの宛先とした個別メッセージを生成して前記メッセージ受信装置に送信し、前記メッセージ受信装置は、個別識別子生成手段と、個別識別子登録要求手段とを備え、前記個別メッセージ受信手段が、個別識別子を宛先とするメッセージを受信する構成とした。
【００２７】
かかる構成によれば、メッセージ配信システムは、メッセージ受信装置において、個別識別子生成手段によって、当該メッセージ受信装置の内部情報に基づいて、当該メッセージ受信装置を個別に識別するための個別識別子を生成して記憶手段に書き込み記憶する。そして、メッセージ受信装置は、個別識別子登録要求手段によって、個別識別子生成手段で生成された個別識別子と、当該メッセージ受信装置のネットワークアドレスと、当該メッセージ受信装置の使用者の個人情報とをメッセージ送信装置に登録する旨の要求を、通信送受信手段を介して、通信データとして送信する。そして、通信送受信手段を介して、メッセージ送信装置から、他の個別識別子を要求する旨の指示を受信した場合に、個別識別子生成手段に、個別識別子の再生成を要求する。これによって、メッセージ受信装置において、他の個別識別子が再度生成されることになる。
【００２８】
一方、メッセージ送信装置は、メッセージ受信装置で生成されたメッセージ受信装置の個別識別子をメッセージの宛先とした個別メッセージを生成してメッセージ受信装置に送信する。
そして、メッセージ受信装置は、個別メッセージ受信手段において、個別メッセージの宛先が、記憶手段に記憶されている個別識別子と一致する場合に、個別メッセージを当該メッセージ受信装置宛のメッセージとして受信する。
【００２９】
さらに、請求項９に記載のメッセージ配信システムは、請求項８に記載のメッセージ配信システムにおいて、メッセージ送信装置には、個別メッセージ生成手段にメッセージ制御情報通知生成手段を備え、共通メッセージ生成手段にメッセージ情報通知生成手段を備える構成とし、メッセージ受信装置には、個別メッセージ受信手段にメッセージ制御情報通知解析手段をさらに備え、共通メッセージ受信手段にメッセージ情報通知解析手段を備える構成とした。
【００３０】
かかる構成によれば、メッセージ配信システムにおいて、メッセージ送信装置は、個別メッセージ生成手段のメッセージ制御情報通知生成手段によって、共通メッセージとして送信される予め定めたメッセージ情報を処理する対象となるメッセージ受信装置のグループを指定するメッセージ制御情報を付加したメッセージ制御情報通知を、個別識別子を宛先とした個別メッセージとして生成する。これによって、個別メッセージでメッセージ制御情報を受信したメッセージ受信装置は、当該メッセージ制御情報の値によって、グループ化されることになる。例えば、視聴契約の有無等によって、個々のメッセージ受信装置がグループ化される。
【００３１】
そして、メッセージ送信装置は、共通メッセージ生成手段のメッセージ情報通知生成手段によって、メッセージ制御情報を宛先とし、メッセージ情報を内容とした共通メッセージであるメッセージ情報通知を生成する。これによって、メッセージ送信装置は、共通メッセージで、グループ化したメッセージ受信装置に対してメッセージを送信することが可能になる。
【００３２】
一方、メッセージ受信装置は、個別メッセージ受信手段のメッセージ制御情報通知解析手段によって、共通メッセージとして送信されるメッセージ情報を処理する対象となるメッセージ受信装置のグループを指定するメッセージ制御情報を付加したメッセージ制御情報通知を、個別メッセージとして受信した際に、メッセージ制御情報を記憶手段に書き込み記憶する。これによって、メッセージ受信装置は、当該メッセージ制御情報の値によって、グループ化されることになる。例えば、視聴契約の有無等によって、個々のメッセージ受信装置がグループ化される。
【００３３】
そして、メッセージ受信装置は、共通メッセージ受信手段のメッセージ情報通知解析手段によって、放送受信手段を介して放送データとして受信した共通メッセージの宛先が、記憶手段に記憶されているメッセージ制御情報と一致する場合に、共通メッセージに付加されているメッセージ情報を当該メッセージ受信装置宛のメッセージとして受信する。これによって、メッセージ受信装置は、共通メッセージで、同一グループ宛のメッセージを受信することが可能になる。
【発明の効果】
【００３４】
本発明は、以下に示す優れた効果を奏するものである。
請求項１，４，８に記載の発明によれば、メッセージ受信装置で生成された個別識別子に対して、メッセージ送信装置が、個別メッセージを送信することができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置を管理すればよいため、識別子を管理するコストを軽減させることができる。
【００３５】
請求項２，５，９に記載の発明によれば、前記した効果に加え、メッセージ受信装置をメッセージ制御情報によって任意の単位でグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
【００３６】
請求項３に記載の発明によれば、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。
【００３７】
請求項６に記載の発明によれば、メッセージ受信装置において、メッセージ送信装置から送信された情報や個別識別子を初期化することができるため、初期設定により、識別子を最初から設定し直すことで、容易にメッセージ受信装置の使用者を変えることができる。
【００３８】
請求項７に記載の発明によれば、メッセージ受信装置において個別識別子を生成する際に、他のメッセージ受信装置との間で重複が発生する度合いを低く抑えることができるため、メッセージ受信装置において、再度個別識別子を生成する等の作業を極力排除することができる。
【図面の簡単な説明】
【００３９】
【図１】第１実施形態に係るデジタル放送システムの構成を示すブロック図である。
【図２】第１実施形態に係るデジタル放送システムの概略動作を示すシーケンス図である。
【図３】第１実施形態に係るデジタル放送送信装置（メッセージ送信装置）の構成を示すブロック図である。
【図４】第１実施形態に係るデジタル放送受信装置（メッセージ受信装置）の構成を示すブロック図である。
【図５】第１実施形態に係るデジタル放送システムの動作を示すフローチャートである。
【図６】第２実施形態に係るデジタル放送システムの構成を示すブロック図である。
【図７】第２実施形態に係るデジタル放送送信装置（メッセージ送信装置）の構成を示すブロック図である。
【図８】第２実施形態に係るデジタル放送受信装置（メッセージ受信装置）の構成を示すブロック図である。
【図９】第２実施形態に係るデジタル放送受信装置（メッセージ受信装置）の他の構成を示すブロック図である。
【図１０】第２実施形態に係るデジタル放送システムの動作を示すフローチャートである。
【図１１】第３実施形態に係るデジタル放送システムの構成を示すブロック図である。
【図１２】第３実施形態に係るデジタル放送システムの概略動作を示すシーケンス図である。
【図１３】第３実施形態に係るデジタル放送送信装置（メッセージ送信装置）の構成を示すブロック図である。
【図１４】第３実施形態に係るデジタル放送受信装置（メッセージ受信装置）の構成を示すブロック図である。
【図１５】第３実施形態に係るデジタル放送システムの動作を示すフローチャートである。
【図１６】第４実施形態（本発明）に係るデジタル放送システムの構成を示すブロック図である。
【図１７】第４実施形態（本発明）に係るデジタル放送送信装置（メッセージ送信装置）の構成を示すブロック図である。
【図１８】第４実施形態（本発明）に係るデジタル放送受信装置（メッセージ受信装置）の構成を示すブロック図である。
【図１９】第４実施形態（本発明）に係るデジタル放送システムの動作を示すフローチャートである。
【図２０】第５実施形態に係るデジタル放送システムの構成を示すブロック図である。
【図２１】第５実施形態に係るデジタル放送システムの概略動作を示すシーケンス図である。
【図２２】第５実施形態に係るデジタル放送送信装置（メッセージ送信装置）の構成を示すブロック図である。
【図２３】第５実施形態に係る識別子管理装置の構成を示すブロック図である。
【図２４】第５実施形態に係るデジタル放送受信装置（メッセージ受信装置）の構成を示すブロック図である。
【図２５】第５実施形態に係るデジタル放送システムの動作を示すフローチャートである。
【図２６】第６実施形態に係るデジタル放送システムの構成を示すブロック図である。
【図２７】第６実施形態に係るデジタル放送システムの概略動作を示すシーケンス図である。
【図２８】第６実施形態に係るデジタル放送送信装置（メッセージ送信装置）の構成を示すブロック図である。
【図２９】第６実施形態に係るデジタル放送受信装置（メッセージ受信装置）の構成を示すブロック図である。
【図３０】第６実施形態に係るデジタル放送システムの動作を示すフローチャートである。
【図３１】第７実施形態に係るデジタル放送システムの構成を示すブロック図である。
【図３２】第７実施形態に係るデジタル放送送信装置（メッセージ送信装置）の構成を示すブロック図である。
【図３３】第７実施形態に係るデジタル放送受信装置（メッセージ受信装置）の構成を示すブロック図である。
【図３４】第７実施形態に係るデジタル放送システムの動作を示すフローチャートである。
【図３５】第８実施形態に係るデジタル放送システムの構成を示すブロック図である。
【図３６】第８実施形態に係るデジタル放送送信装置（メッセージ送信装置）の構成を示すブロック図である。
【図３７】第８実施形態に係るデジタル放送受信装置（メッセージ受信装置）の構成を示すブロック図である。
【図３８】第８実施形態に係るデジタル放送システムの動作を示すフローチャートである。
【図３９】メッセージのフォーマット例を示す図である。
【図４０】共通メッセージのメッセージ情報通知のフォーマット例を示す図である。
【図４１】メッセージのフォーマット例を示す図である。
【図４２】個別識別子のデータフォーマット例を示す図である。
【図４３】ＥＭＭ共通メッセージのフォーマット例を示す図である。
【図４４】ＥＭＭ個別メッセージのフォーマット例を示す図である。
【発明を実施するための形態】
【００４０】
≪第１実施形態≫
［デジタル放送システムの概要］
最初に、図１を参照して、第１実施形態に係るデジタル放送システム（メッセージ配信システム）ＳＡの構成の概要について説明する。
【００４１】
デジタル放送システムＳＡは、複数の放送事業者Ａ，Ｂ，…が有するデジタル放送送信装置１Ａ（１），１Ａ（１），…と、各家庭等に設置されたデジタル放送受信装置５Ａ（５），５Ａ（５），…とで構成され、デジタル放送送信装置１Ａからデジタル放送で送信されるコンテンツ（放送番組）をデジタル放送受信装置５Ａにおいて受信し、視聴者が視聴するシステムである。なお、放送波Ｗは、地上デジタル放送、衛星放送、ケーブル放送等、無線、有線を問わない。
【００４２】
このデジタル放送システムＳＡでは、デジタル放送受信装置５Ａ，５Ａ，…が予め固有の識別子（個別識別子ＩＤ２〔ＩＤ２１，ＩＤ２２，…〕）を有している。そして、デジタル放送受信装置５Ａが個別識別子ＩＤ２をデジタル放送送信装置１Ａに通知することで、デジタル放送送信装置１Ａから放送波Ｗを介してデジタル放送受信装置５Ａ宛の個別のメッセージ情報を送信することを可能にしている。また、デジタル放送システムＳＡは、個々のデジタル受信装置５Ａ，５Ａ，…に対して、任意の単位のグループで一度にメッセージ情報を送信したいという要望に応えることができるように、個々のデジタル受信装置５Ａ，５Ａ，…をグループ化することを可能にしている。なお、以下の実施形態においても、この基本的特徴は同一である。
【００４３】
デジタル放送送信装置１Ａは、放送波Ｗを介して、コンテンツをデジタル放送受信装置５Ａに送信するものである。また、デジタル放送送信装置１Ａは、個別識別子ＩＤ２を宛先として、個々のデジタル放送受信装置５Ａに対して、放送波Ｗを介してメッセージ情報を送信する機能を有する。さらに、デジタル放送送信装置１Ａは、個々のデジタル放送受信装置５Ａをグループ化し、特定のグループにメッセージ情報を送信する機能を有する。
【００４４】
デジタル放送受信装置５Ａは、放送波Ｗを介してコンテンツを受信するものである。なお、デジタル放送受信装置５Ａ内には、予め個別識別子ＩＤ２が設定されている。この個別識別子ＩＤ２をデジタル放送送信装置１Ａに通知し、登録することで、デジタル放送受信装置５Ａは、デジタル放送送信装置１Ａから放送波Ｗを介して送信される個別識別子ＩＤ２宛のメッセージ情報を取得する機能を有する。
なお、ここでは、デジタル放送受信装置５Ａの有する個別識別子ＩＤ２は、視聴者によって、電話等によって、放送事業者に通知され、デジタル放送送信装置１Ａに登録されるものとする。
【００４５】
次に、図２を参照して、第１実施形態に係るデジタル放送システムの動作の概要について説明する。
まず、視聴者は、デジタル放送受信装置５Ａの表示画面に表示される個別識別子ＩＤ２を、電話、ハガキ、インターネット等によって、放送事業者に通知する（ステップＳＡ１）。そして、放送事業者が、デジタル放送送信装置１Ａに個別識別子ＩＤ２を登録する。そして、デジタル放送送信装置１Ａは、以降の動作において、個別のデジタル放送受信装置５Ａを個別識別子ＩＤ２によって特定し、個別のメッセージ（個別メッセージ）を送信することができる。
【００４６】
また、放送事業者がデジタル放送受信装置５Ａを所定のグループに分けて管理したい場合、例えば、放送チャンネルの契約の有無、視聴地域等でデジタル放送受信装置５Ａをグループ化したい場合、デジタル放送送信装置１Ａは、個別識別子ＩＤ２を宛先とした個別メッセージで、デジタル放送受信装置５Ａにグループの種別を特定するメッセージ制御情報を送信する（ステップＳＡ２）。そして、デジタル放送送信装置１Ａは、すべてのデジタル放送受信装置５Ａに共通のメッセージである共通メッセージ内に、宛先としてメッセージ制御情報を記述し、メッセージ情報を送信する（ステップＳＡ３）。これによって、共通メッセージであっても、メッセージ制御情報でグループ化されたデジタル放送受信装置５Ａのみが、当該メッセージ情報を受信することになる。
【００４７】
このように、第１実施形態に係るデジタル放送システムＳＡは、デジタル放送受信装置５Ａが、予め固有の個別識別子ＩＤ２を有し、放送事業者側に通知するため、従来のＣＡＳカード等のようなＩＣカードを個別に受信装置ごとに配布する必要がなく、ＩＣカードの識別子（カード番号）管理を行う必要がない。
以下、第１実施形態に係るデジタル放送システムＳＡにおけるデジタル放送送信装置１Ａおよびデジタル放送受信装置５Ａの構成および動作について詳細に説明する。
【００４８】
［デジタル放送送信装置の構成］
まず、図３を参照（適宜図１参照）して、第１実施形態に係るデジタル放送送信装置の構成について説明する。ここでは、デジタル放送送信装置１Ａは、個別識別子登録手段１０と、メッセージ情報記憶手段１１と、メッセージ制御情報記憶手段１２と、メッセージ制御情報個別更新手段１３と、識別子記憶手段１４と、共通メッセージ生成手段１５と、個別メッセージ生成手段１６と、放送送信手段１７と、を備えている。なお、図３では、デジタル放送受信装置５Ａを識別するための識別子および当該識別子を用いたメッセージ配信に関連する構成のみを図示し、一般的なデジタル放送送信装置の機能、例えば、コンテンツ配信に関連する構成については図示を省略している。
【００４９】
個別識別子登録手段１０は、デジタル放送受信装置５Ａ固有の識別子である個別識別子ＩＤ２と視聴者の個人情報ＰＤとを入力し、記憶手段（識別子記憶手段１４）に識別子データベースとして登録するものである。例えば、個別識別子登録手段１０は、デジタル放送送信装置１Ａを操作するオペレータによって、視聴者から電話、ハガキ、インターネット等によって通知された個別識別子ＩＤ２と視聴者の個人情報ＰＤとを、キーボード等の入力手段（図示せず）により入力されることで、個別識別子ＩＤ２を個人情報ＰＤと対応付けて識別子記憶手段１４に書き込み記憶（登録）する。ここで、個人情報ＰＤは、視聴者（使用者）を特定する情報であって、例えば、視聴者の氏名、住所、電話番号等である。
【００５０】
さらに、個別識別子登録手段１０は、入力された個別識別子ＩＤ２を個別メッセージ生成手段１６のメッセージ制御情報通知生成手段１６１に出力する。なお、このメッセージ制御情報通知生成手段１６１への出力は、個別識別子ＩＤ２を入力された段階で、デジタル放送受信装置５Ａに登録を受け付けた旨の個別メッセージを配信するためである。
【００５１】
メッセージ情報記憶手段１１は、デジタル放送受信装置５Ａに送信するメッセージ情報Ｍｓｇを記憶するもので、ハードディスク等の一般的な記憶媒体である。このメッセージ情報Ｍｓｇは、コンテンツ以外にデジタル放送受信装置５Ａに通知するデータであって、その内容は特に限定するものではない。例えば、画面上にスーパーインポーズ表示するテキスト、メール等のデータである。
【００５２】
このメッセージ情報記憶手段１１に記憶されるメッセージ情報Ｍｓｇは、入力手段（図示せず）を介して入力され、共通メッセージ生成手段１５のメッセージ情報通知生成手段１５１によって読み出され利用される。なお、予めメッセージ情報Ｍｓｇを送信する日時等が放送番組（コンテンツ）等により定まっている場合は、放送番組の配信時間に対応付けてメッセージ情報Ｍｓｇを記憶しておく。
【００５３】
メッセージ制御情報記憶手段１２は、デジタル放送受信装置５Ａに送信するメッセージ制御情報Ｍｃを記憶するもので、ハードディスク等の一般的な記憶媒体である。このメッセージ制御情報Ｍｃは、デジタル放送受信装置５Ａに蓄積させる情報であって、デジタル放送受信装置５Ａに対してメッセージ情報Ｍｓｇの取得、処理等を制御するための情報である。例えば、このメッセージ制御情報Ｍｃによって、デジタル放送受信装置５Ａがメッセージ情報Ｍｓｇを取得するか否かを制御することができる。
【００５４】
具体的には、メッセージ制御情報Ｍｃとして、放送チャンネルの視聴契約の有無、視聴地域等で固有の値を予め定めておく。例えば、メッセージ制御情報Ｍｃを、“０ｘ００００”〜“０ｘＦＦＦＦ”の２バイトデータで管理し、“０ｘ００００”が「放送チャンネル契約なし」、“０ｘ０００１”が「放送チャンネル契約あり」と予め定めておく。このようなメッセージ制御情報Ｍｃを用いることで、「放送チャンネル契約なし」のデジタル放送受信装置５Ａにおいて当該放送チャンネルが選択された場合、メッセージ情報Ｍｓｇとして、契約されていない旨のメッセージを表示させる等の制御を行うことができ、デジタル放送受信装置５Ａをグループ化することができる。
【００５５】
このメッセージ制御情報記憶手段１２に記憶されるメッセージ制御情報Ｍｃは、入力手段（図示せず）を介して入力され、メッセージ制御情報通知生成手段１６１によって読み出され利用される。なお、メッセージ制御情報記憶手段１２には、放送チャンネルの視聴契約により設定する値、放送番組（コンテンツ）ごとの視聴契約により設定する値等、複数の値をメッセージ制御情報Ｍｃとして記憶しておくことができる。
【００５６】
メッセージ制御情報個別更新手段１３は、デジタル放送受信装置５Ａに記憶させたメッセージ制御情報Ｍｃを、個別に更新するものである。ここでは、メッセージ制御情報個別更新手段１３は、外部から入力手段（図示せず）を介して、更新の対象となるデジタル放送受信装置５Ａの個別識別子ＩＤ２と、新たなメッセージ制御情報Ｍｃとを入力し、個別メッセージ生成手段１６に対して、メッセージ制御情報Ｍｃをデジタル放送受信装置５Ａに送信する個別メッセージを生成する旨を指示する。
【００５７】
これによって、例えば、あるデジタル放送受信装置５Ａに登録されているメッセージ制御情報Ｍｃが、「放送チャンネル契約あり（０ｘ０００１）」となっている状態で、視聴契約を解除する場合、メッセージ制御情報個別更新手段１３は、このデジタル放送受信装置５Ａに対応する個別識別子ＩＤ２と、「放送チャンネル契約なし」を示すメッセージ制御情報Ｍｃ（０ｘ００００）とを入力されることで、個別メッセージにより、個別識別子ＩＤ２に対応するデジタル放送受信装置５Ａのメッセージ制御情報Ｍｃを、「放送チャンネル契約なし（０ｘ００００）」に更新することができる。
【００５８】
識別子記憶手段１４は、個別識別子登録手段１０により入力された個別識別子ＩＤ２を記憶（登録）するものであって、ハードディスク等の一般的な記憶媒体である。この識別子記憶手段１４は、個別識別子ＩＤ２ごとに、視聴者の個人情報ＰＤを対応付けてデータベース化するものとする。なお、識別子記憶手段１４のデータベースには、個別識別子登録手段１０によって個別識別子ＩＤ２が登録されるまでは、識別子と認識されない予め定めた初期値が設定されているものとする。
【００５９】
共通メッセージ生成手段１５は、デジタル放送受信装置５Ａに共通に送信するメッセージ（共通メッセージ）を生成するものである。ここでは、共通メッセージ生成手段１５は、メッセージ情報通知生成手段１５１を備えている。
【００６０】
メッセージ情報通知生成手段１５１は、メッセージ情報Ｍｓｇをデジタル放送受信装置５Ａに送信するためのメッセージを共通メッセージとして生成するものである。このメッセージ情報通知生成手段１５１で生成された共通メッセージは、放送送信手段１７に出力される。
【００６１】
ここでは、メッセージ情報通知生成手段１５１は、メッセージ制御情報Ｍｃを宛先、メッセージ情報Ｍｓｇを内容としたメッセージ（メッセージ情報通知）を生成する。すなわち、メッセージ情報通知生成手段１５１は、同じメッセージ制御情報Ｍｃを保持しているデジタル放送受信装置５Ａに対して共通のメッセージを生成する。
【００６２】
なお、メッセージ情報通知生成手段１５１は、入力手段（図示せず）を介して、メッセージ制御情報Ｍｃ、メッセージ情報Ｍｓｇを入力されることで、共通メッセージを生成することとしてもよいし、時刻に応じて、メッセージ情報記憶手段１１に記憶されているメッセージ情報Ｍｓｇや、メッセージ制御情報記憶手段１２に記憶されているメッセージ制御情報Ｍｃを読み出して共通メッセージを生成することとしてもよい。
【００６３】
個別メッセージ生成手段１６は、個々のデジタル放送受信装置５Ａに個別に送信するメッセージ（個別メッセージ）を生成するものである。ここでは、個別メッセージ生成手段１６は、メッセージ制御情報通知生成手段１６１を備えている。
【００６４】
メッセージ制御情報通知生成手段１６１は、メッセージ制御情報Ｍｃをデジタル放送受信装置５Ａに送信するためのメッセージを個別メッセージとして生成するものである。このメッセージ制御情報通知生成手段１６１で生成された個別メッセージは、放送送信手段１７に出力される。
【００６５】
ここでは、メッセージ制御情報通知生成手段１６１は、個別識別子ＩＤ２を宛先、メッセージ制御情報Ｍｃを内容としたメッセージ（メッセージ制御情報通知）を生成する。すなわち、メッセージ制御情報通知生成手段１６１は、個別識別子ＩＤ２を保持しているデジタル放送受信装置５Ａに対して個別のメッセージ（メッセージ制御情報通知）を生成する。このメッセージ制御情報Ｍｃがデジタル放送受信装置５Ａに送信されることで、個々のデジタル放送受信装置５Ａは、メッセージ制御情報の値に応じてグループ化されることになる。
【００６６】
このメッセージ制御情報通知生成手段１６１は、入力手段（図示せず）を介して、メッセージ制御情報Ｍｃ、個別識別子ＩＤ２を入力された段階で、個別メッセージを生成することとしてもよいし、予めメッセージ制御情報記憶手段１２に、メッセージ制御情報Ｍｃの配信時刻や配信先を記述したタイムテーブルを記憶しておき、そのタイムテーブルに従って、個別メッセージを生成することとしてもよい。
【００６７】
ここでは、メッセージ制御情報通知生成手段１６１は、個別識別子登録手段１０から、個別識別子ＩＤ２を入力された段階で、メッセージ制御情報記憶手段１２から、予め定めたメッセージ制御情報Ｍｃを読み出して、個別メッセージを生成することとする。例えば、メッセージ制御情報通知生成手段１６１は、個別識別子ＩＤ２を入力された段階で、放送チャンネルの視聴契約がされたことを示す値（「放送チャンネル契約あり（０ｘ０００１）」）をメッセージ制御情報記憶手段１２から読み出し、個別メッセージを生成する。
【００６８】
さらに、メッセージ制御情報通知生成手段１６１は、メッセージ制御情報個別更新手段１３から、個別識別子ＩＤ２で示されるデジタル放送受信装置５Ａに新たなメッセージ制御情報Ｍｃを送信する旨の通知が入力された場合、入力された個別識別子ＩＤ２およびメッセージ制御情報Ｍｃを用いて個別メッセージを生成する。これによって、デジタル放送受信装置５Ａに新たなメッセージ制御情報Ｍｃが登録されることになる。
また、ここでは、図示を省略するが、個別識別子ＩＤ２宛にメッセージ情報Ｍｓｇを送信するための個別メッセージを生成する個別メッセージ情報通知生成手段を個別メッセージ生成手段１６に備える構成としてもよい。
【００６９】
ここで、図３９，４０，４３，４４を参照（適宜図３参照）して、共通メッセージ生成手段１５のメッセージ情報通知生成手段１５１および個別メッセージ生成手段１６のメッセージ制御情報通知生成手段１６１において生成される各メッセージのフォーマットについて説明する。
【００７０】
メッセージ情報通知生成手段１５１は、図３９（ａ）に示すように、メッセージの宛先を「メッセージ制御情報（Ｍｃ）」、メッセージの内容を「メッセージ情報（Ｍｓｇ）」として、共通メッセージであるメッセージ情報通知を生成する。
【００７１】
また、メッセージ情報通知生成手段１５１は、メッセージ情報通知を、図４０に示すように、メッセージ情報Ｍｓｇ以外に、受信機種別ＰＫにより、メッセージ情報Ｍｓｇを受信するデジタル放送受信装置５Ａを区分することとしてもよい。この受信機種別ＰＫは、デジタル放送受信装置５Ａの種別を示すもので、例えば、図４０（ａ）に示すように、「００：固定テレビ（液晶、ＰＤＰ等）」、「０１：チューナのみ」、「０２：移動体テレビ」、「０３：携帯電話テレビ」、「０４：パソコンテレビ（ＵＳＢ型等）」、「０５：録画機器」、「０６〜９９：未定義」等である。
また、この受信機種別ＰＫは、図４０（ｂ）に示すように、ビットごとに種別を割り当てることとしてもよい。これによって、複数の種別を一度に指定することができる。
なお、この受信機種別ＰＫは、メッセージ情報通知を生成する際に、外部から入力することとしてもよいし、予めメッセージ情報記憶手段１１にメッセージ情報と対応付けておいてもよい。
【００７２】
このようなメッセージ情報通知のフォーマットは、放送波Ｗで配信するストリームデータをＭＰＥＧ−２  ＴＳ（トランスポートストリーム）とした場合、社団法人電波産業会（ＡＲＩＢ）のＳＴＤ−Ｂ２５で規格化されているＥＭＭ（Entitlement Management Message）共通メッセージのデータ形式としてもよい。
すなわち、メッセージ情報通知生成手段１５１は、図４３に示すように、ＥＭＭ共通メッセージセクション構造のＥＭＭメッセージセクションヘッダ内の領域Ｒ１に、メッセージ制御情報Ｍｃを記述し、ＥＭＭメッセージ本体のメッセージコード本体の領域Ｒ２にメッセージ情報Ｍｓｇを記述することで、共通メッセージを生成する。
【００７３】
メッセージ制御情報通知生成手段１６１は、図３９（ｂ）に示すように、メッセージの宛先を「個別識別子（ＩＤ２）」、メッセージの内容を「メッセージ制御情報（Ｍｃ）」として、個別メッセージであるメッセージ制御情報通知を生成する。
【００７４】
このメッセージ制御情報通知のフォーマットは、ＳＴＤ−Ｂ２５で規格化されているＥＭＭ個別メッセージのデータ形式としてもよい。
すなわち、メッセージ制御情報通知生成手段１６１は、図４４に示すように、ＥＭＭ個別メッセージセクション構造のＥＭＭメッセージ本体（１，２，…，Ｎ）の識別子情報領域Ｒ３に、個別識別子ＩＤ２を記述し、ＥＭＭメッセージ本体（１，２，…，Ｎ）のメッセージコード領域Ｒ４にメッセージ制御情報Ｍｃを記述することで、個別メッセージを生成する。
図３に戻って、デジタル放送送信装置１Ａの構成について説明を続ける。
【００７５】
放送送信手段１７は、共通メッセージ生成手段１５で生成された共通メッセージと、個別メッセージ生成手段１６で生成された個別メッセージとをストリームデータとして、送信アンテナ（図示せず）を介して、放送波Ｗにより、デジタル放送受信装置５Ａに送信するものである。例えば、放送送信手段１７は、ＭＰＥＧ−２  ＴＳ（トランスポートストリーム）システムを用いて、各メッセージを多重化して送信する。なお、放送送信手段１７は、共通メッセージ、個別メッセージ以外にも、一般的なデジタル放送送信装置と同様に、コンテンツ（放送番組）、番組特定情報（ＰＳＩ：Program Specific Information）、番組配列情報（ＳＩ：Service Information）等を多重化したストリームを生成し、デジタル放送受信装置５Ａに送信する。
【００７６】
このように、デジタル放送送信装置１Ａは、従来のＣＡＳカードのカード番号のように、放送事業者において、予め受信装置ごとに固有の識別子を管理しておく必要がない。
なお、デジタル放送送信装置１Ａは、一般的なコンピュータを前記した各手段として機能させるプログラム（メッセージ送信プログラム）により動作させることができる。
【００７７】
［デジタル放送受信装置の構成］
次に、図４を参照（適宜図１参照）して、第１実施形態に係るデジタル放送受信装置の構成について説明する。ここでは、デジタル放送受信装置５Ａは、放送受信手段５０と、共通メッセージ処理手段５１と、個別メッセージ処理手段５２と、記憶手段５３と、表示手段５４と、初期化手段５５と、を備えている。なお、図４では、デジタル放送受信装置５Ａを識別するための識別子および当該識別子を用いたメッセージ配信に関連する構成のみを図示し、一般的なデジタル放送受信装置の機能、例えば、コンテンツ受信に関連する構成については図示を省略している。
【００７８】
放送受信手段５０は、受信アンテナ（図示せず）を介して、放送波Ｗにより送信されるストリームデータを受信するものである。この放送受信手段５０は、デジタル放送送信装置１Ａから送信されたストリームデータから、共通メッセージおよび個別メッセージを分離する。この分離された共通メッセージは、共通メッセージ処理手段５１に出力され、個別メッセージは、個別メッセージ処理手段５２に出力される。
【００７９】
なお、ストリームデータには、共通メッセージ、個別メッセージ以外にも、コンテンツ（放送番組）、番組特定情報（ＰＳＩ）、番組配列情報（ＳＩ）等が多重化されているが、放送受信手段５０は、それらを分離することで、一般的な番組ガイド表示手段（図示せず）やコンテンツ再生手段（図示せず）等によって、番組ガイドの表示や、コンテンツの再生を行う。
【００８０】
共通メッセージ処理手段（共通メッセージ受信手段）５１は、放送受信手段５０を介して受信したデジタル放送受信装置５Ａに共通のメッセージである共通メッセージを解析し、メッセージに応じた処理を行うものである。ここでは、共通メッセージ処理手段５１は、メッセージ情報通知解析手段５１１を備えている。
【００８１】
メッセージ情報通知解析手段５１１は、共通メッセージとして送信されたメッセージ情報通知（図３９（ａ）参照）が、当該デジタル放送受信装置５Ａを含むグループ宛のメッセージであるか否かを解析し、そのグループに属する場合に、メッセージ情報通知で通知されるメッセージ情報を処理するものである。
具体的には、メッセージ情報通知解析手段５１１は、メッセージ情報通知（図３９（ａ）参照）の宛先であるメッセージ制御情報Ｍｃが、記憶手段５３に記憶されているメッセージ制御情報Ｍｃと一致する場合に、メッセージ情報通知の内容であるメッセージ情報Ｍｓｇをメッセージ表示手段５４２に出力する。
【００８２】
例えば、メッセージ情報通知解析手段５１１は、記憶手段５３に記憶されているメッセージ制御情報Ｍｃが、「放送チャンネル契約なし（０ｘ００００）」であるときに、宛先としてメッセージ制御情報の値が“０ｘ００００”のメッセージ情報通知を受信した場合、メッセージ情報通知の内容であるメッセージ情報をメッセージ表示手段５４２に出力する。これによって、放送チャンネルの契約がなされていない受信装置グループにおいては、当該メッセージ情報通知で通知されるメッセージ情報、例えば、「このチャンネルは未契約です」等のメッセージを表示画面に表示させることができる。一方、放送チャンネルの契約がなされている受信装置グループにおいては、当該メッセージを表示画面に表示することがなく、視聴者は放送番組を視聴することができる。
【００８３】
なお、共通メッセージとして送信されるメッセージ情報通知のフォーマットが、図４０で説明したフォーマットである場合、メッセージ情報通知解析手段５１１は、メッセージ制御情報Ｍｃが記憶手段５３に記憶されているメッセージ制御情報Ｍｃと一致するか否かを判定するとともに、受信機種別ＰＫが当該デジタル放送受信装置５Ａの種別と一致するか否かを判定し、両方が一致する場合にのみ、メッセージ情報通知の内容であるメッセージ情報をメッセージ表示手段５４２に出力することとする。ただし、デジタル放送受信装置５Ａの種別は、予め記憶手段５３に記憶されているものとする。
【００８４】
個別メッセージ処理手段（個別メッセージ受信手段）５２は、放送受信手段５０を介して受信したデジタル放送受信装置５Ａごとに個別のメッセージである個別メッセージを解析し、メッセージに応じた処理を行うものである。ここでは、個別メッセージ処理手段５２は、メッセージ制御情報通知解析手段５２１を備えている。
【００８５】
メッセージ制御情報通知解析手段５２１は、個別メッセージとして送信されたメッセージ制御情報通知（図３９（ｂ）参照）が、当該デジタル放送受信装置５Ａ宛のメッセージであるか否かを解析し、当該デジタル放送受信装置５Ａ宛のメッセージである場合に、メッセージ制御情報通知で通知されるメッセージ制御情報を処理するものである。
【００８６】
具体的には、メッセージ制御情報通知解析手段５２１は、メッセージ制御情報通知（図３９（ｂ）参照）の宛先である個別識別子ＩＤ２が、記憶手段５３に記憶されている個別識別子ＩＤ２と一致する場合に、メッセージ制御情報通知の内容であるメッセージ制御情報Ｍｃを記憶手段５３に書き込む。
例えば、メッセージ制御情報通知解析手段５２１は、個別メッセージの宛先が記憶手段５３に記憶されている個別識別子と同一の個別識別子であって、個別メッセージの内容であるメッセージ制御情報が「放送チャンネル契約あり（０ｘ０００１）」であった場合、記憶手段５３のメッセージ制御情報Ｍｃに“０ｘ０００１”の値を書き込む。
【００８７】
記憶手段（制御情報記憶手段）５３は、デジタル放送受信装置５Ａ固有の情報を記憶するものであって、不揮発性メモリ（ＮＶＲＡＭ：Non Volatile Random Access Memory）等の一般的な記憶媒体である。この記憶手段５３には、少なくともメッセージ制御情報Ｍｃと個別識別子ＩＤ２とが記憶される。ここでは、さらに、視聴者を特定する情報となる個人情報ＰＤも併せて記憶している。
【００８８】
メッセージ制御情報Ｍｃは、共通メッセージのメッセージ処理を行うか否かを制御するための情報であって、メッセージ情報通知（図３９（ａ）参照）の宛先（グループの宛先）となる情報である。例えば、“０ｘ００００”〜“０ｘＦＦＦＦ”の２バイトデータであり、予め定めた初期値を設定しておくこととする。
また、例えば、メッセージ制御情報Ｍｃとして、“０ｘ００００”が「放送チャンネル契約なし」、“０ｘ０００１”が「放送チャンネル契約あり」とした場合、メッセージ制御情報Ｍｃには、初期値として、“０ｘ００００”を設定しておく。
これによって、登録処理が完了していないデジタル放送受信装置５Ａにおいて、コンテンツの視聴を制限することができる。
【００８９】
なお、メッセージ制御情報Ｍｃは、放送事業者ごとに管理され保持される情報である。具体的には、図４４に示したＥＭＭ個別メッセージの事業体識別によって、放送事業者ごとに固有の値で識別される。これによって、記憶手段５３には、放送事業者ごとに複数のメッセージ制御情報Ｍｃが記憶されることになる。また、メッセージ制御情報Ｍｃは、さらに、放送チャンネルごとに複数存在してもよい。例えば、メッセージ制御情報Ｍｃの２バイトデータのうち、予め定めた領域を放送チャンネル固有の値として定めることで、放送チャンネルごとにメッセージ制御情報Ｍｃを設定することができる。
【００９０】
個別識別子ＩＤ２は、デジタル放送受信装置５Ａを個別に識別するための識別子である。この個別識別子ＩＤ２は、予め固有の値が設定されているものとし、例えば、受信装置のメーカ固有の値と、メーカが独自に付与した製造番号（管理番号）とを組み合わせた個別番号やチェックサム（ＣＲＣ）の値が設定されているものとする。
【００９１】
なお、個別識別子ＩＤ２は、図４２に示すように、個別番号ＰＮ、チェックサムＣＲＣ以外に、受信機種別ＰＫを付加することとしてもよい。この受信機種別ＰＫは、デジタル放送受信装置５Ａの種別を示すもので、例えば、図４２（ａ）に示すように、「００：固定テレビ（液晶、ＰＤＰ等）」、「０１：チューナのみ」、「０２：移動体テレビ」、「０３：携帯電話テレビ」、「０４：パソコンテレビ（ＵＳＢ型等）」、「０５：録画機器」、「０６〜９９：未定義」等を設定しておく。なお、受信機種別ＰＫには、複数の種別を記述する形態であっても構わない。また、この受信機種別ＰＫは、図４２（ｂ）に示すように、ビットごとに種別を割り当てることとしてもよい。
これによって、放送事業者側で、デジタル放送送信装置１Ａで登録を受け付けたデジタル放送受信装置５Ａの種別の割合を把握することができる。
【００９２】
個人情報ＰＤは、視聴者を特定する情報であって、例えば、視聴者の氏名、住所、電話番号等である。この個人情報ＰＤは、初期設定時にリモコン装置等の入力手段（図示せず）によって入力される情報である。この第１実施形態においては、必ずしも記憶手段５３に個人情報ＰＤを記憶しておく必要はないが、一般的なデジタル放送受信装置において、例えば、視聴地域等によってチャンネルやデータ放送の内容を切り替える等の処理を行うため、ここでは、記憶手段５３に個人情報ＰＤを記憶しておくこととする。
【００９３】
表示手段５４は、液晶ディスプレイ等の表示装置（図示せず）に表示データを表示するものである。ここでは、表示手段５４は、個別識別子表示手段５４１と、メッセージ表示手段５４２と、を備えている。
【００９４】
個別識別子表示手段５４１は、記憶手段５３に記憶されている個別識別子ＩＤ２を、表示データとして表示するものである。この個別識別子表示手段５４１は、例えば、リモコン装置等の入力手段（図示せず）によって、初期設定画面の表示を指示されることで、記憶手段５３から、個別識別子ＩＤ２を読み出し、初期設定画面内の予め定めた領域に、個別識別子ＩＤ２の値をテキストデータ（１０進数の数字等で表現した文字列）として表示する。
この画面上に表示された個別識別子ＩＤ２は、視聴者が、電話、ハガキ、インターネット等によって、氏名等の個人情報とともに放送事業者に通知することとする。
【００９５】
メッセージ表示手段５４２は、メッセージ情報通知解析手段５１１から通知されるメッセージ情報を、表示データとして表示するものである。このメッセージ表示手段５４２は、メッセージ情報としてテキストデータが入力された場合、当該テキストデータを表示装置の画面上に表示する。また、メッセージ表示手段５４２は、メッセージ情報として、予め定めたメッセージ番号が入力された場合、記憶手段５３に予め記憶されているメッセージ番号に対応するテキストデータ（図示せず）を読み出して表示することとしてもよい。
例えば、メッセージ表示手段５４２は、メッセージ情報通知解析手段５１１から入力されるメッセージとして、「このチャンネルは未契約です」等のメッセージを表示画面に表示する。
【００９６】
なお、表示手段５４は、番組特定情報（ＰＳＩ）、番組配列情報（ＳＩ）等から、電子番組ガイドを生成し表示する番組ガイド表示手段や、コンテンツ（放送番組）を再生するコンテンツ再生手段等の一般的なデジタル受信装置の構成を備えているがここでは図示を省略している。
【００９７】
初期化手段５５は、記憶手段５３に記憶されているメッセージ制御情報Ｍｃを初期化するものである。この初期化手段５５は、スイッチ等の入力手段（図示せず）からの初期化指示、あるいは、初期設定画面により初期化を指示されることで、記憶手段５３に記憶されているメッセージ制御情報Ｍｃを初期値の値に設定する。
例えば、メッセージ制御情報Ｍｃとして、“０ｘ００００”が「放送チャンネル契約なし」、“０ｘ０００１”が「放送チャンネル契約あり」とした場合、初期化手段５５は、メッセージ制御情報Ｍｃを、初期値である“０ｘ００００”に設定する。これによって、デジタル放送受信装置５Ａの所有者が変わる場合であっても、デジタル放送受信装置５Ａを初期状態に設定し直すことができる。
【００９８】
このように、デジタル放送受信装置５Ａは、予めデジタル放送受信装置５Ａ内に記憶されている個別識別子の値を視聴者が放送事業者に通知することで、デジタル放送受信装置５Ａ固有のメッセージを受信することが可能になる。また、従来のような受信装置ごとのＣＡＳカード等のＩＣカードが不要となり、コストを軽減させることができる。
なお、デジタル放送受信装置５Ａは、一般的なコンピュータを前記した各手段として機能させるプログラム（メッセージ受信プログラム）により動作させることができる。
【００９９】
［デジタル放送システムの動作］
次に、図５を参照（構成については、適宜図３，４参照）して、第１実施形態に係るデジタル放送システムＳＡの動作について説明する。
【０１００】
（識別子登録動作）
まず、デジタル放送受信装置５Ａは、初期設定時において、表示手段５４の個別識別子表示手段５４１によって、記憶手段５３に記憶されている個別識別子ＩＤ２を読み出して、画面上に表示する（ステップＳ１０）。そして、視聴者は、画面上に表示された個別識別子ＩＤ２の値を、電話、ハガキ、インターネット等によって、氏名等の個人情報ＰＤとともに放送事業者に通知する（ステップＳ１１）。
【０１０１】
そして、放送事業者が、デジタル放送受信装置５Ａ固有の個別識別子ＩＤ２と個人情報ＰＤとを取得する（ステップＳ１２）。ここで、放送事業者のオペレータは、デジタル放送受信装置５Ａにおいて、入力手段（図示せず）によって、視聴者から通知された個別識別子ＩＤ２の値を個人情報ＰＤとともに入力する（ステップＳ１３）。そして、デジタル放送送信装置１Ａは、個別識別子登録手段１０によって、ステップＳ１３で入力された個別識別子ＩＤ２の値を個人情報ＰＤと対応付けて識別子記憶手段１４の識別子データベースに登録する（ステップＳ１４）。このステップＳ１０からＳ１４までの動作によって、デジタル放送送信装置１Ａには、デジタル放送受信装置５Ａ固有の識別子（個別識別子ＩＤ２）が登録される。
【０１０２】
（グループ化処理）
そして、デジタル放送送信装置１Ａは、個別メッセージ生成手段１６のメッセージ制御情報通知生成手段１６１によって、ステップＳ１３で入力された個別識別子ＩＤ２を宛先、メッセージ制御情報Ｍｃを内容とした個別メッセージ（メッセージ制御情報通知）を生成する（ステップＳ１５）。例えば、ここでは、このメッセージ制御情報通知のメッセージ制御情報Ｍｃを、「放送チャンネル契約あり（０ｘ０００１）」とする。
そして、デジタル放送送信装置１Ａは、放送送信手段１７によって、ステップＳ１５で生成された個別メッセージ（メッセージ制御情報通知）を、放送波Ｗを介して、デジタル放送受信装置５Ａに送信する（ステップＳ１６）。
【０１０３】
一方、デジタル放送受信装置５Ａは、放送受信手段５０によって、放送波Ｗを介して、個別メッセージを受信する（ステップＳ１７）。そして、デジタル放送受信装置５Ａは、個別メッセージ処理手段５２のメッセージ制御情報通知解析手段５２１によって、ステップＳ１７で受信した個別メッセージのメッセージ制御情報通知が、当該デジタル放送受信装置５Ａ宛のメッセージであるか否かを解析し、当該デジタル放送受信装置５Ａ宛のメッセージである場合に、メッセージ制御情報通知で通知されるメッセージ制御情報Ｍｃを、記憶手段５３に書き込み記憶する（ステップＳ１８）。
これによって、デジタル放送受信装置５Ａの記憶手段５３には、メッセージ制御情報Ｍｃとして、「放送チャンネル契約あり（０ｘ０００１）」が書き込まれることになる。
【０１０４】
その後、デジタル放送送信装置１Ａは、共通メッセージ生成手段１５のメッセージ情報通知生成手段１５１によって、メッセージ情報を通知する共通メッセージを生成する（ステップＳ１９）。例えば、ここでは、メッセージ情報通知生成手段１５１は、「放送チャンネル契約なし（０ｘ００００）」のメッセージ制御情報を宛先、「このチャンネルは未契約です」のメッセージ情報を内容とする共通メッセージ（メッセージ情報通知）を生成する。
そして、デジタル放送送信装置１Ａは、放送送信手段１７によって、ステップＳ１９で生成した共通メッセージ（メッセージ情報通知）を、放送波Ｗを介して、デジタル放送受信装置５Ａに送信する（ステップＳ２０）。
【０１０５】
一方、デジタル放送受信装置５Ａは、放送受信手段５０によって、放送波Ｗを介して、共通メッセージを受信する（ステップＳ２１）。そして、デジタル放送受信装置５Ａは、共通メッセージ処理手段５１のメッセージ情報通知解析手段５１１によって、ステップＳ２１で受信した共通メッセージのメッセージ情報通知の宛先が記憶手段５３に記憶されているメッセージ制御情報Ｍｃと一致するか否かにより、共通メッセージが当該デジタル放送受信装置５Ａ宛のメッセージであるか否かを解析する。
【０１０６】
そして、デジタル放送受信装置５Ａは、ステップＳ２１で受信した共通メッセージが、当該デジタル放送受信装置５Ａ宛のメッセージである場合に、メッセージ情報通知で通知されるメッセージ情報Ｍｓｇを処理する（ステップＳ２２）。例えば、記憶手段５３に記憶されているメッセージ制御情報Ｍｃが、「放送チャンネル契約なし（０ｘ００００）」であるときに、共通メッセージの宛先であるメッセージ制御情報が「放送チャンネル契約なし（０ｘ００００）」、共通メッセージの内容であるメッセージ情報が「このチャンネルは未契約です」のメッセージ情報通知を受信した場合、デジタル放送受信装置５Ａは、メッセージ表示手段５４２によって、画面上に「このチャンネルは未契約です」を表示する。一方、記憶手段５３に記憶されているメッセージ制御情報Ｍｃが、「放送チャンネル契約あり（０ｘ０００１）」であれば、メッセージ表示手段５４２は、画面上に「このチャンネルは未契約です」の表示を行わずに動作を終了する。
このように、デジタル放送受信装置５Ａは、メッセージ制御情報Ｍｃによって、グループ化（ここでは、契約の有無によるグループ化）されることになる。
【０１０７】
≪第２実施形態≫
［デジタル放送システムの概要］
次に、図６を参照して、第２実施形態に係るデジタル放送システムＳＢの構成の概要について説明する。
【０１０８】
デジタル放送システムＳＢは、複数の放送事業者Ａ，Ｂ，…が有するデジタル放送送信装置１Ｂ（１），１Ｂ（１），…と、各家庭等に設置されたデジタル放送受信装置５Ｂ（５），５Ｂ（５），…とで構成され、デジタル放送送信装置１Ｂからデジタル放送で送信されるコンテンツ（放送番組）をデジタル放送受信装置５Ｂにおいて受信し、視聴者が視聴するシステムである。
【０１０９】
このデジタル放送システムＳＢは、デジタル放送受信装置５Ｂ，５Ｂ，…が予め固有の識別子（個別識別子ＩＤ２〔ＩＤ２１，ＩＤ２２，…〕）を有し、デジタル放送受信装置５Ｂが個別識別子ＩＤ２をデジタル放送送信装置１Ｂに通知することで、デジタル放送送信装置１Ｂから放送波Ｗを介してデジタル放送受信装置５Ｂ宛の固有のメッセージ情報を送信することを可能にしている点については、デジタル放送システムＳＡ（図１参照）と同じである。しかし、デジタル放送システムＳＢは、デジタル放送受信装置５Ｂから、デジタル放送送信装置１Ｂに個別識別子ＩＤ２を通知する際に、電話回線、インターネット回線等を用いたネットワークＮを介して通知する点が相違している。
【０１１０】
以下、第２実施形態に係るデジタル放送システムＳＢにおけるデジタル放送送信装置１Ｂおよびデジタル放送受信装置５Ｂの構成および動作について、第１実施形態に係るデジタル放送システムＳＡ（図１参照）との相違点を中心に説明する。
【０１１１】
［デジタル放送送信装置の構成］
まず、図７を参照（適宜図６参照）して、第２実施形態に係るデジタル放送送信装置の構成について説明する。ここでは、デジタル放送送信装置１Ｂは、個別識別子登録手段１０Ｂと、メッセージ情報記憶手段１１と、メッセージ制御情報記憶手段１２と、メッセージ制御情報個別更新手段１３と、識別子記憶手段１４と、共通メッセージ生成手段１５と、個別メッセージ生成手段１６と、放送送信手段１７と、通信送受信手段１８と、を備えている。なお、図７では、デジタル放送受信装置５Ｂを識別するための識別子および当該識別子を用いたメッセージ配信に関連する構成のみを図示し、一般的なデジタル放送送信装置の機能、例えば、コンテンツ配信に関連する構成については図示を省略している。
【０１１２】
ここで、個別識別子登録手段１０Ｂおよび通信送受信手段１８以外の構成については、図３で説明したデジタル放送送信装置１Ａの構成と同一であるため、同一の符号を付して説明を省略する。
【０１１３】
個別識別子登録手段１０Ｂは、デジタル放送受信装置５Ｂ固有の識別子である個別識別子ＩＤ２と視聴者の個人情報ＰＤとを、通信送受信手段１８を介して受信し、記憶手段（識別子記憶手段１４）に識別子データベースとして登録するものである。また、個別識別子登録手段１０Ｂは、受信した個別識別子ＩＤ２を個別メッセージ生成手段１６のメッセージ制御情報通知生成手段１６１に出力する。
【０１１４】
通信送受信手段１８は、ネットワークＮを介して、デジタル放送受信装置５Ｂとの間で通信データを送受信するものであって、例えば、通信制御ボードである。ここでは、通信送受信手段１８は、個々のデジタル放送受信装置５Ｂから、個別識別子ＩＤ２と個人情報ＰＤとを通信データとして受信し、受信した個別識別子ＩＤ２と個人情報ＰＤとを個別識別子登録手段１０Ｂに出力する。
このように、デジタル放送送信装置１Ｂは、従来のＣＡＳカードのカード番号のように、放送事業者において、予め受信装置ごとに固有の識別子を管理しておく必要がない。また、デジタル放送送信装置１Ｂは、識別子（個別識別子ＩＤ２）を登録する際にオペレータ等の人手を介することなく、識別子登録処理を自動化することができる。
【０１１５】
このデジタル放送送信装置１Ｂは、個別識別子登録手段１０Ｂが、個別識別子登録手段１０（図３参照）と同様に、視聴者から電話、ハガキ、インターネット等によって通知された個別識別子ＩＤ２と個人情報ＰＤとをキーボード等の入力手段（図示せず）を介して入力されることで、個別識別子ＩＤ２と個人情報ＰＤとを識別子記憶手段１４に書き込み記憶（登録）する機能をさらに有することとしてもよい。これによって、デジタル放送送信装置１Ｂは、通信機能を備えていないデジタル放送受信装置５については、オペレータにより登録処理を行うことができる。
なお、デジタル放送送信装置１Ｂは、一般的なコンピュータを前記した各手段として機能させるプログラム（メッセージ送信プログラム）により動作させることができる。
【０１１６】
［デジタル放送受信装置の構成］
次に、図８を参照（適宜図６参照）して、第２実施形態に係るデジタル放送受信装置の構成について説明する。ここでは、デジタル放送受信装置５Ｂは、放送受信手段５０と、共通メッセージ処理手段５１と、個別メッセージ処理手段５２と、記憶手段５３と、表示手段５４Ｂと、初期化手段５５と、個別識別子登録要求手段５６と、通信送受信手段５７と、を備えている。なお、図８では、デジタル放送受信装置５Ｂを識別するための識別子および当該識別子を用いたメッセージ配信に関連する構成のみを図示し、一般的なデジタル放送受信装置の機能、例えば、コンテンツ受信に関連する構成については図示を省略している。
【０１１７】
ここで、表示手段５４Ｂ、個別識別子登録要求手段５６および通信送受信手段５７以外の構成については、図４で説明したデジタル放送受信装置５Ａの構成と同一であるため、同一の符号を付して説明を省略する。
【０１１８】
表示手段５４Ｂは、液晶ディスプレイ等の表示装置（図示せず）に表示データを表示するものである。ここでは、表示手段５４Ｂは、図４で説明した表示手段５４から、個別識別子表示手段５４１を省いて構成している。
【０１１９】
個別識別子登録要求手段５６は、記憶手段５３に記憶されている個別識別子ＩＤ２と個人情報ＰＤとを登録する旨の要求（識別子登録要求）を、通信送受信手段５７を介して、デジタル放送送信装置１Ｂに送信するものである。この個別識別子登録要求手段５６は、例えば、チャンネル設定等の初期設定時に、記憶手段５３から個別識別子ＩＤ２と個人情報ＰＤとを読み出し、識別子登録要求を生成し、デジタル放送送信装置１Ｂに送信する。
この個別識別子ＩＤ２をデジタル放送送信装置１Ｂに登録することで、デジタル放送送信装置１Ｂは、個別識別子ＩＤ２を宛先としたメッセージを、デジタル放送受信装置５Ｂに送信することが可能になる。
【０１２０】
なお、ここでは、個人情報ＰＤが記憶手段５３に記憶されていることを前提として説明したが、この個人情報ＰＤは、必ずしも記憶手段５３に記憶されている必要はない。ネットワークＮに接続された環境であれば、キーボード等の入力手段（図示せず）を介して個人情報ＰＤを入力し、記憶手段５３に記憶することなく、通信送受信手段５７を介して、放送事業者に通知することとしてもよい。
【０１２１】
通信送受信手段５７は、ネットワークＮを介して、デジタル放送送信装置１Ｂとの間で通信データを送受信するものであって、例えば、通信制御ボードである。ここでは、通信送受信手段５７は、個別識別子登録要求手段５６から入力された識別子登録要求を、デジタル放送送信装置１Ｂに送信する。
【０１２２】
このように、デジタル放送受信装置５Ｂは、予めデジタル放送受信装置５Ｂ内に記憶されている個別識別子の値をデジタル放送送信装置１Ｂに登録することで、デジタル放送受信装置５Ｂ固有のメッセージを受信することが可能になる。また、従来のような受信装置ごとのＣＡＳカードが不要となり、コストを軽減させることができる。
【０１２３】
なお、デジタル放送受信装置５Ｂは、表示手段５４Ｂが、表示手段５４（図４参照）と同様に、個別識別子表示手段５４１を備える構成としてもよい。これによって、デジタル放送受信装置５Ｂの設置場所に通信環境が整備されていない場合に、視聴者が、画面上で個別識別子ＩＤ２を確認し、放送事業者に通知することができる。
また、デジタル放送受信装置５Ｂは、一般的なコンピュータを前記した各手段として機能させるプログラム（メッセージ受信プログラム）により動作させることができる。
【０１２４】
［デジタル放送受信装置の他の構成］
次に、図９を参照（適宜図６参照）して、第２実施形態に係るデジタル放送受信装置の他の構成について説明する。ここでは、デジタル放送受信装置５Ｂ２は、放送受信手段５０と、共通メッセージ処理手段５１と、個別メッセージ処理手段５２Ｂと、記憶手段５３Ｂと、表示手段５４Ｂと、初期化手段５５と、個別識別子登録要求手段５６Ｂと、通信送受信手段５７と、を備えている。
【０１２５】
デジタル放送受信装置５Ｂ（図８参照）は、固有の識別子として、メーカ等が予め記憶手段５３に設定した個別識別子ＩＤ２を用いたが、デジタル放送受信装置５Ｂ２は、固有の識別子として、通信送受信手段５７が有する固有の識別子を用いる点が異なっている。
個別メッセージ処理手段５２Ｂ、記憶手段５３Ｂおよび個別識別子登録要求手段５６Ｂ以外の構成については、図８で説明したデジタル放送受信装置５Ｂの構成と同一であるため、同一の符号を付して説明を省略する。
【０１２６】
個別メッセージ処理手段（個別メッセージ受信手段）５２Ｂは、放送受信手段５０を介して受信したデジタル放送受信装置５Ｂ２ごとに個別のメッセージである個別メッセージを解析し、メッセージに応じた処理を行うものである。ここでは、個別メッセージ処理手段５２Ｂは、メッセージ制御情報通知解析手段５２１Ｂを備えている。
【０１２７】
メッセージ制御情報通知解析手段５２１Ｂは、図４で説明したメッセージ制御情報通知解析手段５２１と同一の機能を有するものである。ただし、メッセージ制御情報通知解析手段５２１Ｂは、個別メッセージとして送信されたメッセージ制御情報通知（図３９（ｂ）参照）が、当該デジタル放送受信装置５Ｂ２宛のメッセージであるか否かを解析する際に、記憶手段５３に記憶されている個別識別子を用いるのではなく、通信送受信手段５７に予め設定されている個別情報を用いる点が異なっている。
【０１２８】
この通信送受信手段５７に設定されている個別情報は、例えば、ネットワークインタフェースカード（ＮＩＣ：Network Interface Card）のＭＡＣアドレスである。このＭＡＣアドレスは、ＮＩＣごとに固有のアドレスが付与されている。そこで、デジタル放送受信装置５Ｂ２は、固有の識別子（個別識別子ＩＤ２）として、ＭＡＣアドレスを用いることとする。
【０１２９】
記憶手段５３Ｂは、個別識別子ＩＤ２を記憶していない点を除き、図４で説明した記憶手段５３と同じものである。
個別識別子登録要求手段５６Ｂは、通信送受信手段５７に設定されている個別情報（個別識別子ＩＤ２）と記憶手段５３Ｂに記憶されている個人情報ＰＤとを登録する旨の要求（識別子登録要求）を、通信送受信手段５７を介して、デジタル放送送信装置１Ｂに送信する点を除き、図８で説明した個別識別子登録要求手段５６と同じものである。
【０１３０】
このように、デジタル放送受信装置５Ｂ２は、予めデジタル放送受信装置５Ｂ２の通信送受信手段５７に設定されている個別情報（ＭＡＣアドレス）を個別識別子としてデジタル放送送信装置１Ｂに登録することで、デジタル放送受信装置５Ｂ２固有のメッセージを受信することが可能になる。また、従来のような受信装置ごとのＣＡＳカードが不要となり、コストを軽減させることができる。また、メーカが受信装置ごとに固有の識別子を記憶手段５３Ｂに書き込む手間を省くことができる。
なお、デジタル放送受信装置５Ｂ２は、一般的なコンピュータを前記した各手段として機能させるプログラム（メッセージ受信プログラム）により動作させることができる。
【０１３１】
［デジタル放送システムの動作］
次に、図１０を参照（構成については、適宜図７，８参照）して、第２実施形態に係るデジタル放送システムＳＢの動作について説明する。
【０１３２】
（識別子登録動作）
まず、デジタル放送受信装置５Ｂは、個別識別子登録要求手段５６によって、記憶手段５３に記憶されている個別識別子ＩＤ２と個人情報ＰＤとを読み出す（ステップＳ１０Ｂ）。そして、デジタル放送受信装置５Ｂは、通信送受信手段５７によって、ステップＳ１０Ｂで読み出した個別識別子ＩＤ２と個人情報ＰＤとをデジタル放送送信装置１Ｂに送信する（ステップＳ１１Ｂ）。
【０１３３】
一方、デジタル放送送信装置１Ｂは、通信送受信手段１８によって、ステップＳ１１Ｂで送信された個別識別子ＩＤ２と個人情報ＰＤとを受信する（ステップＳ１２Ｂ）。そして、デジタル放送送信装置１Ｂは、個別識別子登録手段１０Ｂによって、ステップＳ１２Ｂで受信した個別識別子ＩＤ２の値を個人情報ＰＤと対応付けて識別子記憶手段１４の識別子データベースに登録する（ステップＳ１４）。このステップＳ１０ＢからＳ１４までの動作によって、デジタル放送送信装置１Ｂには、デジタル放送受信装置５Ｂ固有の識別子（個別識別子ＩＤ２）が登録される。
なお、図９で説明したデジタル放送受信装置５Ｂ２においては、ステップＳ１０Ｂにおいて、通信送受信手段５７の個別情報（ＭＡＣアドレス）を個別識別子ＩＤ２として読み出す点のみが異なり、以降の動作は同じである。
【０１３４】
（グループ化処理）
ステップＳ１５以降の動作（グループ化処理）については、図５で説明したデジタル放送システムＳＡの動作と同一であるため、説明を省略する。
【０１３５】
≪第３実施形態≫
［デジタル放送システムの概要］
次に、図１１を参照して、第３実施形態に係るデジタル放送システムＳＣの構成の概要について説明する。
【０１３６】
デジタル放送システムＳＣは、複数の放送事業者Ａ，Ｂ，…が有するデジタル放送送信装置１Ｃ（１），１Ｃ（１），…と、各家庭等に設置されたデジタル放送受信装置５Ｃ（５），５Ｃ（５），…とで構成され、デジタル放送送信装置１Ｃからデジタル放送で送信されるコンテンツ（放送番組）をデジタル放送受信装置５Ｃにおいて受信し、視聴者が視聴するシステムである。なお、放送波Ｗは、地上デジタル放送、衛星放送、ケーブル放送等、無線、有線を問わない。
【０１３７】
このデジタル放送システムＳＣは、デジタル放送受信装置５Ｃが生成する個別識別子を、デジタル放送送信装置１Ｃに通知することで、デジタル放送送信装置１Ｃから放送波Ｗを介してデジタル放送受信装置５Ｃ宛の個別のメッセージ情報を送信することを可能にしている。
【０１３８】
デジタル放送送信装置１Ｃは、放送波Ｗを介して、コンテンツをデジタル放送受信装置５Ｃに送信するものである。また、デジタル放送送信装置１Ｃは、デジタル放送受信装置５Ｃから通知される個別識別子について重複確認を行い、重複しない個別識別子を用いて、デジタル放送受信装置５Ｃ宛のメッセージ情報を送信する機能を有する。さらに、デジタル放送送信装置１Ｃは、個々のデジタル放送受信装置５Ｃをグループ化し、特定のグループにメッセージ情報を送信する機能を有する。
【０１３９】
デジタル放送受信装置５Ｃは、放送波Ｗを介してコンテンツを受信するものである。なお、デジタル放送受信装置５Ｃは、自身が生成する個別識別子をデジタル放送送信装置１Ｃに通知し、デジタル放送送信装置１Ｃから放送波Ｗを介して送信される個別識別子宛のメッセージ情報を取得する機能を有する。
【０１４０】
次に、図１２を参照して、第３実施形態に係るデジタル放送システムの動作の概要について説明する。
まず、デジタル放送受信装置５Ｃが自ら生成した個別識別子を表示画面に表示し、視聴者は、その表示された個別識別子ＩＤ２を、電話、ハガキ、インターネット等によって、放送事業者に通知する（ステップＳＣ１）。そして、放送事業者が、デジタル放送送信装置１Ｃに個別識別子ＩＤ２を登録する。そして、デジタル放送送信装置１Ｃは、以降の動作において、個別のデジタル放送受信装置５Ｃを個別識別子ＩＤ２によって特定し、個別のメッセージ（個別メッセージ）を送信する。
【０１４１】
また、放送事業者がデジタル放送受信装置５Ｃを所定のグループに分けて管理したい場合、例えば、放送チャンネルの契約の有無、視聴地域等でデジタル放送受信装置５Ｃをグループ化したい場合、デジタル放送送信装置１Ｃは、個別識別子ＩＤ２を宛先とした個別メッセージで、デジタル放送受信装置５Ｃにグループの種別を特定するメッセージ制御情報を送信する（ステップＳＣ２）。そして、デジタル放送送信装置１Ｃは、すべてのデジタル放送受信装置５Ｃに共通のメッセージである共通メッセージ内に、宛先としてメッセージ制御情報を記述し、メッセージ情報を送信する（ステップＳＣ３）。これによって、共通メッセージであっても、メッセージ制御情報でグループ化されたデジタル放送受信装置５Ｃのみが、当該メッセージ情報を受信することになる。
【０１４２】
このように、第３実施形態に係るデジタル放送システムＳＣは、デジタル放送受信装置５Ｃが生成した個別識別子ＩＤ２を放送事業者側に通知するため、従来のＣＡＳカード等のようなＩＣカードを個別に受信装置ごとに配布する必要がなく、ＩＣカードの識別子（カード番号）管理を行う必要がない。
以下、第３実施形態に係るデジタル放送システムＳＣにおけるデジタル放送送信装置１Ｃおよびデジタル放送受信装置５Ｃの構成および動作について詳細に説明する。
【０１４３】
［デジタル放送送信装置の構成］
まず、図１３を参照（適宜図１１参照）して、第３実施形態に係るデジタル放送送信装置の構成について説明する。ここでは、デジタル放送送信装置１Ｃは、メッセージ情報記憶手段１１と、メッセージ制御情報記憶手段１２と、メッセージ制御情報個別更新手段１３と、識別子記憶手段１４と、共通メッセージ生成手段１５と、個別メッセージ生成手段１６と、放送送信手段１７と、識別子登録手段１９と、を備えている。
ここで、識別子登録手段１９以外の構成は、図３で説明したデジタル放送送信装置１Ａの構成と同一であるため、同一の符号を付して説明を省略する。
【０１４４】
識別子登録手段１９は、デジタル放送受信装置５Ｃで生成された識別子である個別識別子ＩＤ２と視聴者の個人情報ＰＤとを外部から入力し、記憶手段（識別子記憶手段１４）に識別子データベースとして登録するものである。ここでは、識別子登録手段１９は、個別識別子重複判定手段１９１と、個別識別子登録手段１９２と、を備えている。
【０１４５】
個別識別子重複判定手段１９１は、外部から入力された個別識別子ＩＤ２が、識別子記憶手段１４に登録（記憶）されているか否かを判定するものである。この個別識別子重複判定手段１９１は、すでに個別識別子ＩＤ２が識別子記憶手段１４に登録されている場合、その旨を表示装置（図示せず）に表示する。このとき、デジタル放送送信装置１Ｃのオペレータは、個別識別子ＩＤが重複している旨を、電話等によって、視聴者に通知し、デジタル放送受信装置５Ｃにおいて、再度、個別識別子を生成してもらうこととする。
一方、まだ個別識別子ＩＤ２が識別子記憶手段１４に登録されていない場合、登録の指示を個別識別子登録手段１９２に通知する。
【０１４６】
個別識別子登録手段１９２は、個別識別子ＩＤ２と視聴者の個人情報ＰＤとを識別子記憶手段１４に登録（記憶）するものである。ここでは、個別識別子登録手段１９２は、個別識別子重複判定手段１９１から、個別識別子ＩＤ２の登録の指示があった段階で、個別識別子ＩＤ２を個人情報ＰＤと対応付けて識別子記憶手段１４に登録する。
【０１４７】
また、ここでは、個別識別子登録手段１９２は、入力された個別識別子ＩＤ２を個別メッセージ生成手段１６のメッセージ制御情報通知生成手段１６１に出力する。なお、このメッセージ制御情報通知生成手段１６１への出力は、個別識別子ＩＤ２を入力された段階で、デジタル放送受信装置５Ｃからの登録を受け付け、メッセージ制御情報を通知する個別メッセージを配信するために行うものである。
このように、デジタル放送送信装置１Ｃは、従来のＣＡＳカードのカード番号のように、放送事業者において、予め受信装置ごとに固有の識別子を管理しておく必要がない。
なお、デジタル放送送信装置１Ｃは、一般的なコンピュータを前記した各手段として機能させるプログラム（メッセージ送信プログラム）により動作させることができる。
【０１４８】
［デジタル放送受信装置の構成］
次に、図１４を参照（適宜図１１参照）して、第３実施形態に係るデジタル放送受信装置の構成について説明する。ここでは、デジタル放送受信装置５Ｃは、放送受信手段５０と、共通メッセージ処理手段５１と、個別メッセージ処理手段５２と、記憶手段５３Ｃと、表示手段５４と、初期化手段５５と、個別識別子再設定手段５８と、計時手段５９と、個別識別子生成手段６０と、を備えている。なお、図１４では、デジタル放送受信装置５Ｃを識別するための識別子および当該識別子を用いたメッセージ配信に関連する構成のみを図示し、一般的なデジタル放送受信装置の機能、例えば、コンテンツ受信に関連する構成については図示を省略している。
ここで、記憶手段５３Ｃ、個別識別子再設定手段５８、計時手段５９および個別識別子生成手段６０以外の構成は、図４で説明したデジタル放送受信装置５Ａの構成と同一であるため、同一の符号を付して説明を省略する。
【０１４９】
記憶手段５３Ｃは、デジタル放送受信装置５Ｃ固有の情報を記憶するものであって、不揮発性メモリ（ＮＶＲＡＭ）等の一般的な記憶媒体である。この記憶手段５３Ｃには、メッセージ制御情報Ｍｃと、個別識別子ＩＤ２と、個人情報ＰＤと、受信機情報Ｔｉとが記憶される。メッセージ制御情報Ｍｃおよび個人情報ＰＤは、図４のデジタル放送受信装置５Ａの記憶手段５３において説明したものと同一であるため、説明を省略する。
【０１５０】
個別識別子ＩＤ２は、デジタル放送受信装置５Ｃを識別するための識別子である。この個別識別子ＩＤ２は、個別識別子生成手段６０によって生成され、書き込まれる。
なお、個別識別子ＩＤ２は、予め識別子として用いない初期値を設定しておくものとする。例えば、各識別値の初期値として、値“０”を設定しておく。これによって、初期設定時前に、当該デジタル放送受信装置５Ｃ宛のメッセージでないメッセージを誤って受信することを防止することができる。
【０１５１】
受信機情報Ｔｉは、デジタル放送受信装置５Ｃのメーカ、機種等の固有の情報である。例えば、受信機情報Ｔｉは、メーカ名、機種名（型番）等の文字コードを数値化したデータである。なお、この受信機情報Ｔｉは、デジタル放送受信装置５Ｃのメーカによって、予め登録されているものとする。
【０１５２】
個別識別子再設定手段５８は、個別識別子ＩＤ２を再設定するための指示を外部から入力するものである。この個別識別子再設定手段５８は、スイッチ等の入力手段（図示せず）からの再設定指示、あるいは、再設定画面により再設定を指示されることで、個別識別子生成手段６０に対して、新たな個別識別子を生成する旨の指示（個別識別子再生成指示）を通知する。
【０１５３】
ここでは、後記する個別識別子生成手段６０によって個別識別子ＩＤ２を生成するため、各デジタル放送受信装置５Ｃで個別識別子ＩＤ２が重複する場合がある。そこで、この個別識別子再設定手段５８は、個別識別子表示手段５４１によって画面上に表示された個別識別子ＩＤ２を、視聴者が電話等によって放送事業者に通知し、個別識別子ＩＤ２が重複していることを放送事業者から通知された場合、視聴者によって、再度、個別識別子ＩＤ２を設定し直す際に使用される。
【０１５４】
計時手段５９は、時刻を計時し、現在時刻を保持する内部時計である。例えば、計時手段５９は、現在時刻として、年月日時分秒を計時する。ここでは、計時手段５９で計時された現在時刻は、個別識別子生成手段６０によって読み出される。
【０１５５】
個別識別子生成手段６０は、メッセージ受信装置５Ｃの内部情報に基づいて、デジタル放送受信装置５Ｃを識別するための識別子（個別識別子ＩＤ２）を生成するものである。ここでは、個別識別子生成手段６０は、乱数発生手段６０１と、仮識別子生成手段６０２と、ハッシュ関数演算手段６０３と、を備えている。ここでは、個別識別子生成手段６０は、内部情報である乱数、現在時刻、受信機情報を用いて個別識別子を生成することとする。
【０１５６】
乱数発生手段６０１は、乱数（擬似乱数）を発生させるものである。この乱数発生手段６０１における乱数発生アルゴリズムは、一般的な手法を用いることができ、合同法、Ｍ系列等、その手法は限定されるものではない。ここでは、乱数発生手段６０１は、数バイト（例えば、６バイト）とする。この乱数発生手段６０１で生成された乱数は、仮識別子生成手段６０２に出力される。
【０１５７】
仮識別子生成手段６０２は、個別識別子ＩＤ２を生成するための仮の識別子（仮識別子ＩＤ１）を生成するものである。ここでは、仮識別子生成手段６０２は、記憶手段５３Ｃに記憶されている受信機情報Ｔｉと、計時手段５９で計時される現在時刻と、乱数発生手段６０１で生成された乱数とを連結することで、仮識別子ＩＤ１を生成する。例えば、受信機情報Ｔｉとして、メーカ名１０バイトと機種名１０バイトとを用い、現在時刻の情報が６バイト、乱数が６バイトであった場合、仮識別子生成手段６０２は、１０＋１０＋６＋６＝３２バイトの仮識別子ＩＤ１を生成する。この仮識別子生成手段６０２で生成された仮識別子ＩＤ１は、ハッシュ関数演算手段６０３に出力される。
【０１５８】
ハッシュ関数演算手段６０３は、仮識別子生成手段６０２で生成された仮識別子ＩＤ１のハッシュ値（ダイジェスト値）を演算することで、個別識別子ＩＤ２を生成するものである。このハッシュ関数演算手段６０３で用いるハッシュ関数は、特に限定するものではないが、ＭＤ５、ＳＨＡ−１等である。例えば、ハッシュ関数演算手段６０３は、ハッシュ関数としてＭＤ５を用いた場合、１６バイトの個別識別子ＩＤ２を生成し、ＳＨＡ−１を用いた場合、２０バイトの個別識別子ＩＤ２を生成する。このとき、ハッシュ関数演算手段６０３は、ハッシュ関数の演算結果にチェックサムを付加して個別識別子ＩＤ２としてもよい。このハッシュ関数演算手段６０３で生成された個別識別子ＩＤ２は、記憶手段５３Ｃに書き込み記憶される。
【０１５９】
なお、ここでは、仮識別子生成手段６０２において、生成する個別識別子ＩＤ２のランダム性を確保するため、内部情報である受信機情報Ｔｉと乱数と現在時刻とを用いて仮識別子ＩＤ１を生成したが、受信機情報Ｔｉ、乱数、現在時刻の少なくとも１つの内部情報で仮識別子ＩＤ１を生成することとしてもよい。なお、１つの内部情報から個別識別子を生成する場合、構成から仮識別子生成手段６０２を省略し、ハッシュ関数演算手段６０３が、受信機情報Ｔｉ、乱数または現在時刻の内部情報に対してハッシュ値を演算すればよい。
【０１６０】
この個別識別子生成手段６０は、デジタル放送受信装置５Ｃの初期設定時に動作するものとする。また、この個別識別子生成手段６０は、個別識別子再設定手段５８から、新たな個別識別子を生成する旨の指示（個別識別子再生成指示）が通知された場合にも動作するものとする。
【０１６１】
なお、個別識別子生成手段６０は、図４２に示したフォーマットで個別識別子ＩＤ２を生成することとしてもよい。この場合、個別識別子生成手段６０は、さらに、受信機種別付加手段（図示せず）を備える構成とし、受信機種別付加手段が、ハッシュ関数演算手段６０３の演算結果であるハッシュ値を個別番号ＰＮとし、受信機種別ＰＫを付加し、さらにチェックサムＣＲＣを付加することで個別識別子ＩＤ２を生成する。このとき、受信機種別ＰＫは、予め記憶手段５３Ｃの受信機情報Ｔｉに記述しておくこととする。
【０１６２】
このように、デジタル放送受信装置５Ｃは、個別識別子生成手段６０によって、受信機情報Ｔｉと乱数と現在時刻とを用いて生成したランダムな仮識別子ＩＤ１から、個別識別子ＩＤ２を生成した。これによって、個別識別子ＩＤ２が個々のデジタル放送受信装置５Ｃにおいて重複する可能性を極力抑えることができる。
また、デジタル放送受信装置５Ｃは、デジタル放送受信装置５Ｃが生成する個別識別子により、デジタル放送受信装置５Ｃ固有のメッセージを受信することが可能になるため、従来のような受信装置ごとのＣＡＳカード等のＩＣカードが不要となり、コストを軽減させることができる。
なお、デジタル放送受信装置５Ｃは、一般的なコンピュータを前記した各手段として機能させるプログラム（メッセージ受信プログラム）により動作させることができる。
【０１６３】
［デジタル放送システムの動作］
次に、図１５を参照（構成については、適宜図１３，１４参照）して、第３実施形態に係るデジタル放送システムＳＣの動作について説明する。
まず、デジタル放送受信装置５Ｃは、初期設定時において、個別識別子生成手段６０によって、個別識別子ＩＤ２を生成する（ステップＳ１０Ｃ）。具体的には、デジタル放送受信装置５Ｃは、まず、個別識別子生成手段６０の乱数発生手段６０１によって、乱数を発生させる。そして、デジタル放送受信装置５Ｃは、仮識別子生成手段６０２によって、記憶手段５３Ｃに記憶されている受信機情報Ｔｉと、計時手段５９で計時される現在時刻と、乱数発生手段６０１で発生させた乱数とを連結することで、仮識別子ＩＤ１を生成する。さらに、デジタル放送受信装置５Ｃは、ハッシュ関数演算手段６０３によって、仮識別子ＩＤ１のハッシュ値を演算することで個別識別子ＩＤ２を生成する。
【０１６４】
そして、デジタル放送受信装置５Ｃは、個別識別子生成手段６０（ハッシュ関数演算手段６０３）によって、ステップＳ１０Ｃで生成した個別識別子ＩＤ２を、記憶手段５３Ｃに書き込み記憶する（ステップＳ１０Ｄ）。
【０１６５】
そして、デジタル放送受信装置５Ｃは、表示手段５４の個別識別子表示手段５４１によって、ステップＳ１０Ｃで生成した個別識別子ＩＤ２を、表示画面上に表示する（ステップＳ１０）。
ステップＳ１１以降の動作については、図５で説明したデジタル放送システムＳＡの動作と基本的には同じであるため、説明を省略する。ただし、デジタル放送システムＳＣでは、ステップＳ１１〜１３において、個別識別子が重複している場合は、ステップＳ１０Ｃに戻って、再度、個別識別子を生成する手順から動作が行われる。
【０１６６】
≪第４実施形態≫
［デジタル放送システムの概要］
次に、図１６を参照して、第４実施形態（本発明）に係るデジタル放送システムＳＤの構成の概要について説明する。
【０１６７】
デジタル放送システムＳＤは、複数の放送事業者Ａ，Ｂ，…が有するデジタル放送送信装置１Ｄ（１），１Ｄ（１），…と、各家庭等に設置されたデジタル放送受信装置５Ｄ（５），５Ｄ（５），…とで構成され、デジタル放送送信装置１Ｄからデジタル放送で送信されるコンテンツ（放送番組）をデジタル放送受信装置５Ｄにおいて受信し、視聴者が視聴するシステムである。
【０１６８】
このデジタル放送システムＳＤは、デジタル放送受信装置５Ｄ，５Ｄ，…が生成する個別識別子を、デジタル放送送信装置１Ｄに通知することで、デジタル放送送信装置１Ｄから放送波Ｗを介してデジタル放送受信装置５Ｄ宛の固有のメッセージ情報を送信することを可能にしている点については、デジタル放送システムＳＣ（図１１参照）と同じである。しかし、デジタル放送システムＳＤは、デジタル放送受信装置５Ｄから、デジタル放送送信装置１Ｄに個別識別子ＩＤ２を通知する際に、電話回線、インターネット回線等を用いたネットワークＮを介して通知する点が相違している。
【０１６９】
以下、第４実施形態に係るデジタル放送システムＳＤにおけるデジタル放送送信装置１Ｄおよびデジタル放送受信装置５Ｄの構成および動作について、第３実施形態に係るデジタル放送システムＳＣ（図１１参照）との相違点を中心に説明する。
【０１７０】
［デジタル放送送信装置の構成］
まず、図１７を参照（適宜図１６参照）して、第４実施形態に係るデジタル放送送信装置の構成について説明する。ここでは、デジタル放送送信装置１Ｄは、メッセージ情報記憶手段１１と、メッセージ制御情報記憶手段１２と、メッセージ制御情報個別更新手段１３と、識別子記憶手段１４と、共通メッセージ生成手段１５と、個別メッセージ生成手段１６と、放送送信手段１７と、通信送受信手段１８と、識別子登録手段１９Ｂと、を備えている。なお、図１７では、デジタル放送受信装置５Ｄを識別するための識別子および当該識別子を用いたメッセージ配信に関連する構成のみを図示し、一般的なデジタル放送送信装置の機能、例えば、コンテンツ配信に関連する構成については図示を省略している。
【０１７１】
ここで、通信送受信手段１８および識別子登録手段１９Ｂ以外の構成については、図１３で説明したデジタル放送送信装置１Ｃの構成と同一であるため、同一の符号を付して説明を省略する。
【０１７２】
通信送受信手段１８は、ネットワークＮを介して、デジタル放送受信装置５Ｄとの間で通信データを送受信するものであって、例えば、通信制御ボードである。ここでは、通信送受信手段１８は、個々のデジタル放送受信装置５Ｄから、個別識別子ＩＤ２と当該デジタル放送受信装置５Ｄの使用者の個人情報ＰＤとを通信データとして受信し、識別子登録手段１９Ｂに出力する。
【０１７３】
識別子登録手段１９Ｂは、デジタル放送受信装置５Ｄで生成された識別子である個別識別子ＩＤ２を、通信送受信手段１８を介して受信し、同じく通信送受信手段１８を介して受信した個人情報ＰＤとともに記憶手段（識別子記憶手段１４）に登録（識別子データベースに登録）するものである。ここでは、識別子登録手段１９Ｂは、個別識別子重複判定手段１９１Ｂと、個別識別子登録手段１９２Ｂと、個別識別子再要求手段１９３Ｂと、を備えている。
【０１７４】
個別識別子重複判定手段１９１Ｂは、通信送受信手段１８を介して受信した個別識別子ＩＤ２が、識別子記憶手段１４に登録（記憶）されているか否かを判定するものである。この個別識別子重複判定手段１９１Ｂは、まだ個別識別子ＩＤ２が識別子記憶手段１４に登録されていないと判定した場合、個別識別子ＩＤ２を登録する指示を個別識別子登録手段１９２Ｂに出力する。一方、すでに個別識別子ＩＤ２が識別子記憶手段１４に登録されていると判定した場合、個別識別子重複判定手段１９１Ｂは、他の個別識別子ＩＤ２を要求（再要求）する旨の指示を、個別識別子再要求手段１９３Ｂに出力する。
【０１７５】
個別識別子登録手段１９２Ｂは、個別識別子ＩＤ２を識別子記憶手段１４に登録（記憶）するものである。ここでは、個別識別子登録手段１９２Ｂは、個別識別子重複判定手段１９１Ｂから、個別識別子ＩＤ２の登録の指示があった段階で、個別識別子ＩＤ２を、通信送受信手段１８を介して受信した個人情報ＰＤと対応付けて識別子記憶手段１４に登録する。なお、ここで個人情報ＰＤとは、例えば、視聴者の氏名、住所、電話番号等である。
【０１７６】
また、ここでは、個別識別子登録手段１９２Ｂは、受信した個別識別子ＩＤ２を個別メッセージ生成手段１６のメッセージ制御情報通知生成手段１６１に出力する。なお、このメッセージ制御情報通知生成手段１６１への出力は、個別識別子ＩＤ２を入力された段階で、デジタル放送受信装置５Ｄからの登録を受け付け、メッセージ制御情報を通知する個別メッセージを配信するために行うものである。
【０１７７】
個別識別子再要求手段１９３Ｂは、デジタル放送受信装置５Ｄに対して、個別識別子ＩＤ２を要求するものである。ここでは、個別識別子再要求手段１９３Ｂは、個別識別子重複判定手段１９１Ｂから、個別識別子ＩＤ２の再要求の指示があった段階で、他の個別識別子ＩＤ２を要求する旨の指示を、通信送受信手段１８を介してデジタル放送受信装置５Ｄに送信する。これによって、他の個別識別子ＩＤ２がデジタル放送受信装置５Ｄから再送信され、重複したものでなければ、識別子記憶手段１４に登録されることになる。
【０１７８】
このように、デジタル放送送信装置１Ｄは、従来のＣＡＳカードのカード番号のように、放送事業者において、予め受信装置ごとに固有の識別子を管理しておく必要がない。また、デジタル放送送信装置１Ｄは、識別子（個別識別子ＩＤ２）を登録する際にオペレータ等の人手を介することなく、識別子登録処理を自動化することができる。
なお、デジタル放送送信装置１Ｄは、一般的なコンピュータを前記した各手段として機能させるプログラム（メッセージ送信プログラム）により動作させることができる。
【０１７９】
［デジタル放送受信装置の構成］
次に、図１８を参照（適宜図１６参照）して、第４実施形態に係るデジタル放送受信装置の構成について説明する。ここでは、デジタル放送受信装置５Ｄは、放送受信手段５０と、共通メッセージ処理手段５１と、個別メッセージ処理手段５２と、記憶手段５３Ｃと、表示手段５４Ｂと、初期化手段５５と、個別識別子登録要求手段５６Ｃと、通信送受信手段５７と、計時手段５９と、個別識別子生成手段６０と、を備えている。なお、図１８では、デジタル放送受信装置５Ｄを識別するための識別子および当該識別子を用いたメッセージ配信に関連する構成のみを図示し、一般的なデジタル放送受信装置の機能、例えば、コンテンツ受信に関連する構成については図示を省略している。
個別識別子登録要求手段５６Ｃおよび通信送受信手段５７以外の構成については、図１４で説明したデジタル放送受信装置５Ｃの構成と同一のものであるため、同一の符号を付して説明を省略する。
【０１８０】
個別識別子登録要求手段５６Ｃは、記憶手段５３Ｃに記憶されている個別識別子ＩＤ２と個人情報ＰＤとを登録する旨の要求（識別子登録要求）を、通信送受信手段５７を介して、デジタル放送送信装置１Ｄに送信するものである。この個別識別子登録要求手段５６Ｃは、例えば、チャンネル設定等の初期設定時に、記憶手段５３Ｃから個別識別子ＩＤ２と個人情報ＰＤとを読み出し、識別子登録要求を生成し、デジタル放送送信装置１Ｄに送信する。
【０１８１】
また、個別識別子登録要求手段５６Ｃは、デジタル放送送信装置１Ｄから、個別識別子ＩＤ２の再設定を要求された場合、個別識別子生成手段６０に対して、個別識別子ＩＤ２の生成を指示する。そして、個別識別子登録要求手段５６Ｃは、新たな個別識別子ＩＤ２が生成された段階で、この新たな個別識別子ＩＤ２と個人情報ＰＤとを登録する旨の要求（識別子登録要求）を、通信送受信手段５７を介して、デジタル放送送信装置１Ｄに送信する。
【０１８２】
通信送受信手段５７は、ネットワークＮを介して、デジタル放送送信装置１Ｄとの間で通信データを送受信するものであって、例えば、通信制御ボードである。ここでは、通信送受信手段５７は、個別識別子登録要求手段５６Ｃから入力された識別子登録要求を、ネットワークＮを介してデジタル放送送信装置１Ｄに送信し、デジタル放送送信装置１Ｄから識別子の再設定が要求された場合その旨を個別識別子登録要求手段５６Ｃに出力する。
なお、デジタル放送受信装置５Ｄは、一般的なコンピュータを前記した各手段として機能させるプログラム（メッセージ受信プログラム）により動作させることができる。
【０１８３】
［デジタル放送システムの動作］
次に、図１９を参照（構成については、適宜図１７，１８参照）して、第４実施形態に係るデジタル放送システムＳＤの動作について説明する。
【０１８４】
まず、デジタル放送受信装置５Ｄは、初期設定時において、個別識別子生成手段６０によって、個別識別子ＩＤ２を生成する（ステップＳ１０Ｅ）。そして、デジタル放送受信装置５Ｄは、個別識別子登録要求手段５６Ｃによって、通信送受信手段５７を介して、ステップＳ１０Ｅで生成した個別識別子ＩＤ２と記憶手段５３Ｃに記憶されている個人情報ＰＤとをデジタル放送送信装置１Ｄに送信する（ステップＳ１０Ｆ）。
【０１８５】
一方、デジタル放送送信装置１Ｄは、通信送受信手段１８によって、ステップＳ１０Ｆで送信された個別識別子ＩＤ２と個人情報ＰＤとを受信する（ステップＳ１２Ｂ）。
そして、デジタル放送送信装置１Ｄは、識別子登録手段１９Ｂの個別識別子重複判定手段１９１Ｂによって、ステップＳ１２Ｂで受信した個別識別子ＩＤ２が、識別子記憶手段１４に登録（記憶）されているか否かを判定（重複確認）する（ステップＳ１３Ｂ）。
【０１８６】
このとき、個別識別子ＩＤ２がすでに登録されている場合、個別識別子再要求手段１９３Ｂは、他の個別識別子ＩＤ２を要求する旨の指示を、通信送受信手段１８を介してデジタル放送受信装置５Ｄに送信する。そして、デジタル放送受信装置５Ｄは、再度、個別識別子生成手段６０によって、個別識別子ＩＤ２を生成し、個別識別子登録要求手段５６Ｃによって、個別識別子ＩＤ２を再送信する（重複確認処理：ステップＳ１１Ｃ）。
【０１８７】
その後、デジタル放送受信装置５Ｄでは、個別識別子生成手段６０によって、ステップＳ１０Ｅで生成（または再生成）した個別識別子ＩＤ２を記憶手段５３Ｃに登録する（ステップＳ１１Ｄ）。一方、デジタル放送送信装置１Ｄでは、識別子登録手段１９の個別識別子登録手段１９２Ｂによって、個別識別子ＩＤ２を個人情報ＰＤと対応付けて識別子記憶手段１４に登録する（ステップＳ１４）。
なお、ステップＳ１５以降の動作については、図１５で説明したデジタル放送システムＳＣの動作と同一である。
【０１８８】
以上の動作によって、デジタル放送システムＳＤは、予め受信装置にＩＣカードを付与することなく、個々の受信装置の識別子宛にメッセージを送信することが可能になる。
【０１８９】
≪第５実施形態≫
［デジタル放送システムの概要］
次に、図２０を参照して、第５実施形態に係るデジタル放送システムＳＥの構成の概要について説明する。
【０１９０】
デジタル放送システムＳＥは、複数の放送事業者Ａ，Ｂ，…が有するデジタル放送送信装置１Ｅ（１），１Ｅ（１），…と、識別子管理装置３と、各家庭等に設置されたデジタル放送受信装置５Ｅ（５），５Ｅ（５），…とで構成され、デジタル放送送信装置１Ｅからデジタル放送で送信されるコンテンツ（放送番組）をデジタル放送受信装置５Ｅにおいて受信し、視聴者が視聴するシステムである。
このデジタル放送システムＳＥは、デジタル放送送信装置１Ｅが、識別子管理装置３が管理する識別子（指定識別子）を、デジタル放送受信装置５Ｅ，５Ｅ，…ごとに個別に配信し、その指定識別子を用いて、デジタル放送受信装置５Ｅ宛の個別のメッセージ情報を送信することを可能にしている。なお、この指定識別子は、前記した第１〜第４実施形態で説明したデジタル受信装置で保持、あるいは生成される個別識別子とは異なり、放送事業者側で個々のデジタル受信装置を管理するために個々のデジタル受信装置に付与する識別子である。すなわち、この指定識別子は、放送事業者側で体系化された識別子である。
【０１９１】
デジタル放送送信装置１Ｅは、放送波Ｗを介して、コンテンツをデジタル放送受信装置５Ｅに送信するものである。また、デジタル放送送信装置１Ｅは、デジタル放送受信装置５Ｅから通知される個別識別子を宛先として、識別子管理装置３から取得した指定識別子をデジタル放送受信装置５Ｅに送信する機能を有する。さらに、デジタル放送送信装置１Ｅは、個々のデジタル放送受信装置５Ｅをグループ化し、特定のグループにメッセージ情報を送信する機能を有する。
【０１９２】
識別子管理装置３は、デジタル放送受信装置５Ｅ，５Ｅ，…ごとに個別の識別子を管理するものである。この識別子管理装置３は、デジタル放送送信装置１Ｅから通知されるデジタル放送受信装置５Ｅの個別識別子に対して、識別子管理装置３が管理する新たな識別子（指定識別子）を生成し、デジタル放送送信装置１Ｅに送信する機能を有する。
【０１９３】
デジタル放送受信装置５Ｅは、放送波Ｗを介してコンテンツを受信するものである。なお、デジタル放送受信装置５Ｅ内には、予め個別識別子ＩＤ２が設定されている。この個別識別子ＩＤ２をデジタル放送送信装置１Ｅに通知し、デジタル放送送信装置１Ｅから放送波Ｗを介して個別識別子宛に配信される指定識別子を保持することで、デジタル放送受信装置５Ｅは、デジタル放送送信装置１Ｅから放送波Ｗを介して送信される指定識別子宛のメッセージ情報を取得する機能を有する。
【０１９４】
なお、ここでは、指定識別子を識別子管理装置３で生成することとしたが、指定識別子は、必ずしも個別に用意した識別子管理装置３で生成する必要はない。例えば、予め定めたデジタル放送送信装置１Ｅ内に組み込んで構成してもよい。
【０１９５】
次に、図２１を参照して、第５実施形態に係るデジタル放送システムの動作の概要について説明する。
まず、視聴者は、デジタル放送受信装置５Ｅの表示画面に表示される個別識別子ＩＤ２を、電話、ハガキ、インターネット等によって、放送事業者に通知する（ステップＳＥ１）。そして、放送事業者が、デジタル放送送信装置１Ｅに個別識別子ＩＤ２を登録することで、デジタル放送送信装置１Ｅは、新たな識別子（指定識別子ＩＤ３）を識別子管理装置３から取得する（ステップＳＥ２）。そして、デジタル放送送信装置１Ｅは、個別識別子ＩＤ２を宛先とした個別メッセージで、デジタル放送受信装置５Ｅに指定識別子ＩＤ３を送信する（ステップＳＥ３）。そして、デジタル放送送信装置１Ｅは、以降の動作において、個別のデジタル放送受信装置５Ｅを指定識別子ＩＤ３によって特定し、個別メッセージを送信する。
【０１９６】
また、放送事業者がデジタル放送受信装置５Ｅを所定のグループに分けて管理したい場合、例えば、放送チャンネルの契約の有無、視聴地域等でデジタル放送受信装置５Ｅをグループ化したい場合、デジタル放送送信装置１Ｅは、指定識別子ＩＤ３を宛先とした個別メッセージで、デジタル放送受信装置５Ｅにグループの種別を特定するメッセージ制御情報を送信する（ステップＳＥ４）。そして、デジタル放送送信装置１Ｅは、すべてのデジタル放送受信装置５Ｅに共通のメッセージである共通メッセージ内に、宛先としてメッセージ制御情報を記述し、メッセージ情報を送信する（ステップＳＥ５）。これによって、共通メッセージであっても、メッセージ制御情報でグループ化されたデジタル放送受信装置５Ｅのみが、当該メッセージ情報を受信することになる。
【０１９７】
このように、第５実施形態に係るデジタル放送システムＳＥは、デジタル放送受信装置５Ｅから通知される個別識別子ＩＤ２に対して、固有の指定識別子ＩＤ３を割り振るため、従来のＣＡＳカード等のようなＩＣカードを個別に受信装置ごとに配布する必要がなく、ＩＣカードの識別子（カード番号）管理を行う必要がない。
以下、第５実施形態に係るデジタル放送システムＳＥにおけるデジタル放送送信装置１Ｅ、識別子管理装置３およびデジタル放送受信装置５Ｅの構成および動作について詳細に説明する。
【０１９８】
［デジタル放送送信装置の構成］
まず、図２２を参照（適宜図２０参照）して、第５実施形態に係るデジタル放送送信装置の構成について説明する。ここでは、デジタル放送送信装置１Ｅは、個別識別子登録手段１０Ｃと、メッセージ情報記憶手段１１と、メッセージ制御情報記憶手段１２と、メッセージ制御情報個別更新手段１３Ｂと、識別子記憶手段１４Ｂと、共通メッセージ生成手段１５と、個別メッセージ生成手段１６Ｂと、放送送信手段１７と、通信送受信手段２０と、指定識別子取得手段２１と、を備えている。
【０１９９】
個別識別子登録手段１０Ｃ、メッセージ制御情報個別更新手段１３Ｂ、識別子記憶手段１４Ｂ、個別メッセージ生成手段１６Ｂ、通信送受信手段２０および指定識別子取得手段２１以外の構成については、図３で説明したデジタル放送送信装置１Ａの構成と同一であるため、同一の符号を付して説明を省略する。
【０２００】
個別識別子登録手段１０Ｃは、デジタル放送受信装置５Ｅ固有の識別子である個別識別子ＩＤ２と視聴者の個人情報ＰＤとを入力し、記憶手段（識別子記憶手段１４Ｂ）に識別子データベースとして登録するものである。例えば、個別識別子登録手段１０Ｃは、デジタル放送送信装置１Ｅを操作するオペレータによって、視聴者から電話、ハガキ、インターネット等によって通知された個別識別子ＩＤ２と視聴者の個人情報ＰＤとを、キーボード等の入力手段（図示せず）により入力されることで、個別識別子ＩＤ２を個人情報ＰＤと対応付けて識別子記憶手段１４Ｂに書き込み記憶（登録）する。
なお、個別識別子登録手段１０Ｃは、個別識別子ＩＤ２と視聴者の個人情報ＰＤとを入力された段階で、指定識別子取得手段２１に対して、指定識別子ＩＤ３を取得する旨の指示を出力する。
【０２０１】
メッセージ制御情報個別更新手段１３Ｂは、デジタル放送受信装置５Ｅに記憶させたメッセージ制御情報Ｍｃを、個別に更新するものである。ここでは、メッセージ制御情報個別更新手段１３Ｂは、外部から入力手段（図示せず）を介して、更新の対象となるデジタル放送受信装置５Ｅの指定識別子１Ｄ３と、新たなメッセージ制御情報Ｍｃとを入力し、個別メッセージ生成手段１６Ｂに対して、メッセージ制御情報Ｍｃをデジタル放送受信装置５Ｅに送信する個別メッセージを生成する旨を指示する。
【０２０２】
識別子記憶手段１４Ｂは、個別識別子登録手段１０Ｃにより登録される個別識別子ＩＤ２および個人情報ＰＤと、指定識別子取得手段２１で取得した指定識別子ＩＤ３とを対応付けて記憶するものであって、ハードディスク等の一般的な記憶媒体である。この識別子記憶手段１４Ｂは、個別識別子ＩＤ２、指定識別子ＩＤ３ごとに、視聴者の個人情報ＰＤである氏名、住所、電話番号等の情報を対応付けてデータベース化する。なお、識別子記憶手段１４Ｂのデータベースには、個別識別子ＩＤ２や指定識別子ＩＤ３が登録されるまでは、識別子と認識されない予め定めた初期値が設定されているものとする。
【０２０３】
個別メッセージ生成手段１６Ｂは、個々のデジタル放送受信装置５Ｅに個別に送信するメッセージ（個別メッセージ）を生成するものである。ここでは、個別メッセージ生成手段１６Ｂは、メッセージ制御情報通知生成手段１６１Ｂと、指定識別子通知生成手段１６２と、を備えている。
【０２０４】
メッセージ制御情報通知生成手段１６１Ｂは、メッセージ制御情報Ｍｃをデジタル放送受信装置５Ｅに送信するためのメッセージを個別メッセージとして生成するものである。このメッセージ制御情報通知生成手段１６１Ｂで生成された個別メッセージは、放送送信手段１７に出力される。
【０２０５】
ここでは、メッセージ制御情報通知生成手段１６１Ｂは、指定識別子ＩＤ３を宛先、メッセージ制御情報Ｍｃを内容としたメッセージ（メッセージ制御情報通知）を生成する。すなわち、メッセージ制御情報通知生成手段１６１Ｂは、指定識別子ＩＤ３を保持しているデジタル放送受信装置５Ｅに対して個別のメッセージ（メッセージ制御情報通知）を生成する。このメッセージ制御情報Ｍｃがデジタル放送受信装置５Ｅに送信されることで、個々のデジタル放送受信装置５Ｅは、メッセージ制御情報の値に応じてグループ化されることになる。
【０２０６】
このメッセージ制御情報通知生成手段１６１Ｂは、入力手段（図示せず）を介して、メッセージ制御情報Ｍｃ、指定識別子ＩＤ３を入力された段階で、個別メッセージを生成することとしてもよいし、予めメッセージ制御情報記憶手段１２に、メッセージ制御情報Ｍｃの配信時刻や配信先を記述したタイムテーブルを記憶しておき、そのタイムテーブルに従って、個別メッセージを生成することとしてもよい。
【０２０７】
さらに、メッセージ制御情報通知生成手段１６１Ｂは、メッセージ制御情報個別更新手段１３Ｂから、指定識別子ＩＤ３で示されるデジタル放送受信装置５Ｅに新たなメッセージ制御情報Ｍｃを送信する旨の通知が入力された場合、入力された指定識別子ＩＤ３およびメッセージ制御情報Ｍｃを用いて個別メッセージを生成する。これによって、デジタル放送受信装置５Ｅに新たなメッセージ制御情報Ｍｃが登録されることになる。
【０２０８】
指定識別子通知生成手段１６２は、指定識別子ＩＤ３をデジタル放送受信装置５Ｅに送信するためのメッセージを個別メッセージとして生成するものである。この指定識別子通知生成手段１６２で生成された個別メッセージは、放送送信手段１７に出力される。
ここでは、指定識別子通知生成手段１６２は、個別識別子ＩＤ２を宛先、指定識別子ＩＤ３を内容としたメッセージ（指定識別子通知）を生成する。すなわち、指定識別子通知生成手段１６２は、個別識別子ＩＤ２を保持しているデジタル放送受信装置５Ｅに対して個別のメッセージ（指定識別子通知）を生成する。この指定識別子ＩＤ３がデジタル放送受信装置５Ｅに送信されることで、以降の個別メッセージを、放送事業者側が管理する指定識別子ＩＤ３を宛先として配信することができる。
【０２０９】
ここでは、指定識別子通知生成手段１６２は、個別識別子登録手段１０Ｃにより個別識別子ＩＤ２および個人情報ＰＤが登録され、指定識別子取得手段２１により指定識別子ＩＤ３を取得した段階で、個別メッセージ（指定識別子通知）を生成することとする。なお、指定識別子通知生成手段１６２は、指定識別子ＩＤ３を通知する際に、併せて、メッセージ制御情報Ｍｃを通知することとしてもよい。
【０２１０】
ここで、図４１，４３，４４を参照（適宜図２２参照）して、共通メッセージ生成手段１５のメッセージ情報通知生成手段１５１および個別メッセージ生成手段１６Ｂのメッセージ制御情報通知生成手段１６１Ｂ，指定識別子通知生成手段１６２において生成される各メッセージのフォーマットについて説明する。
【０２１１】
メッセージ情報通知生成手段１５１は、図４１（ａ）に示すように、メッセージの宛先を「メッセージ制御情報（Ｍｃ）」、メッセージの内容を「メッセージ情報（Ｍｓｇ）」として、共通メッセージであるメッセージ情報通知を生成する。
このメッセージ情報通知のフォーマットは、ＡＲＩＢのＳＴＤ−Ｂ２５で規格化されているＥＭＭ共通メッセージのデータ形式としてもよい。
【０２１２】
すなわち、メッセージ情報通知生成手段１５１は、図４３に示すように、ＥＭＭ共通メッセージセクション構造のＥＭＭメッセージセクションヘッダ内の領域Ｒ１に、メッセージ制御情報Ｍｃを記述し、ＥＭＭメッセージ本体のメッセージコード本体の領域Ｒ２にメッセージ情報Ｍｓｇを記述することで、共通メッセージを生成する。
【０２１３】
メッセージ制御情報通知生成手段１６１Ｂは、図４１（ｂ）の（ｂ−１）に示すように、メッセージの宛先を「指定識別子（ＩＤ３）」、メッセージの内容を「メッセージ制御情報（Ｍｃ）」として、個別メッセージであるメッセージ制御情報通知を生成する。
【０２１４】
指定識別子通知生成手段１６２は、図４１（ｂ）の（ｂ−２）に示すように、メッセージの宛先を「個別識別子（ＩＤ２）」、メッセージの内容を「指定識別子（ＩＤ３）」として、個別メッセージである指定識別子通知を生成する。なお、指定識別子通知生成手段１６２は、指定識別子ＩＤ３と併せてメッセージ制御情報Ｍｃを通知する場合、図４１（ｂ）の（ｂ−３）に示すように、メッセージの宛先を「個別識別子（ＩＤ２）」、メッセージの内容を「メッセージ制御情報（Ｍｃ）」および「指定識別子（ＩＤ３）」として、個別メッセージである指定識別子通知（メッセージ制御情報付き）を生成する。
【０２１５】
なお、図４１（ｂ）の個別メッセージには、当該個別メッセージが、メッセージ制御情報通知であるか、指定識別子通知であるか、指定識別子通知（メッセージ制御情報付き）であるか等の種別が別途付加されていることはいうまでもない。
このメッセージ制御情報通知および指定識別子通知のフォーマットは、ＳＴＤ−Ｂ２５で規格化されているＥＭＭ個別メッセージのデータ形式としてもよい。
【０２１６】
すなわち、メッセージ制御情報通知生成手段１６１Ｂおよび指定識別子通知生成手段１６２は、図４４に示すように、ＥＭＭ個別メッセージセクション構造のＥＭＭメッセージ本体（１，２，…，Ｎ）の識別子情報領域Ｒ３に、メッセージの宛先を記述し、ＥＭＭメッセージ本体（１，２，…，Ｎ）のメッセージコード領域Ｒ４にメッセージの内容を記述することで、個別メッセージを生成する。
図２２に戻って、デジタル放送送信装置１Ｅの構成について説明を続ける。
【０２１７】
通信送受信手段２０は、ネットワークＮを介して、識別子管理装置３との間で通信データを送受信するものであって、例えば、通信制御ボードである。ここでは、通信送受信手段２０は、指定識別子取得手段２１から入力された指定識別子ＩＤ３を取得する旨の要求（指定識別子要求）を通信データとして識別子管理装置３に送信し、識別子管理装置３から返信される指定識別子ＩＤ３を通信データとして受信する。この受信した指定識別子ＩＤ３は、指定識別子取得手段２１に出力される。
【０２１８】
指定識別子取得手段２１は、通信送受信手段２０を介して、識別子管理装置３から指定識別子ＩＤ３を取得するものである。ここでは、指定識別子取得手段２１は、指定識別子要求手段２１１と、指定識別子登録手段２１２と、を備えている。
【０２１９】
指定識別子要求手段２１１は、指定識別子ＩＤ３を取得する旨の要求（指定識別子要求）を生成し、識別子管理装置３に指定識別子要求を送信するものである。ここでは、指定識別子要求手段２１１は、個別識別子登録手段１０Ｃから、指定識別子ＩＤ３を取得する旨の指示が通知された段階で、指定識別子要求のメッセージを生成し、通信送受信手段２０を介して、識別子管理装置３に指定識別子要求を送信する。
【０２２０】
指定識別子登録手段２１２は、識別子管理装置３から取得した指定識別子ＩＤ３を識別子記憶手段１４Ｂの識別子データベースに登録するものである。ここでは、指定識別子登録手段２１２は、通信送受信手段２０を介して、指定識別子ＩＤ３を取得した段階で、指定識別子ＩＤ３を識別子記憶手段１４Ｂに登録する。
なお、指定識別子登録手段２１２は、指定識別子ＩＤ３を識別子記憶手段１４Ｂの識別子データベースに登録した後、指定識別子ＩＤ３によりデジタル放送受信装置５Ｅを一元管理できるため、当該指定識別子ＩＤ３に対応する個別識別子ＩＤ２を初期化または無効化することとしてもよい。
【０２２１】
あるいは、指定識別子ＩＤ３と個別識別子ＩＤ２とを両方登録する場合、指定識別子登録手段２１２は、指定識別子ＩＤ３を参照する優先順位を、個別識別子ＩＤ２を参照する優先順位よりも高く設定することとしてもよい。これによって、個別メッセージ生成手段１６Ｂでは、指定識別子ＩＤ３が登録されるまでは、個別識別子ＩＤ２を用いて個別メッセージを生成し、指定識別子ＩＤ３が登録された後は、指定識別子ＩＤ３を用いて個別メッセージを生成することも可能になる。
【０２２２】
また、ここでは、指定識別子登録手段２１２は、デジタル放送受信装置５Ｅに対して、指定識別子ＩＤ３を通知するため、指定識別子ＩＤ３を取得した段階で、個別メッセージ生成手段１６Ｂに指定識別子ＩＤ３を出力することとする。
【０２２３】
このように、デジタル放送送信装置１Ｅは、予め受信装置にＩＣカード（ＣＡＳカード等）を配布しておかなくても、後から個々の受信装置に識別子（指定識別子）を設定することができる。これによって、ＩＣカードのコストやそれらを管理するコストを削減することができる。
なお、デジタル放送送信装置１Ｅは、一般的なコンピュータを前記した各手段として機能させるプログラム（メッセージ送信プログラム）により動作させることができる。
【０２２４】
［識別子管理装置の構成］
次に、図２３を参照（適宜図２０参照）して、第５実施形態に係る識別子管理装置の構成について説明する。ここでは、識別子管理装置３は、通信送受信手段３０と、指定識別子配信手段３１と、指定識別子生成手段３２と、指定識別子記憶手段３３と、を備えている。
【０２２５】
通信送受信手段３０は、ネットワークＮを介して、デジタル放送送信装置１Ｅとの間で通信データを送受信するものであって、例えば、通信制御ボードである。ここでは、通信送受信手段３０は、デジタル放送送信装置１Ｅから通信データとして受信したメッセージである指定識別子要求を、指定識別子要求受信手段３１１に出力する。また、通信送受信手段３０は、指定識別子送信手段３１２から出力される指定識別子ＩＤ３を、通信データとして、要求のあったデジタル放送送信装置１Ｅに送信する。
【０２２６】
指定識別子配信手段３１は、通信送受信手段３０を介して、指定識別子ＩＤ３を、要求のあったデジタル放送送信装置１Ｅに配信（送信）するものである。ここでは、指定識別子配信手段３１は、指定識別子要求受信手段３１１と、指定識別子送信手段３１２と、を備えている。
【０２２７】
指定識別子要求受信手段３１１は、通信送受信手段３０を介して、指定識別子ＩＤ３を取得する旨の要求（指定識別子要求）を、デジタル放送送信装置１Ｅから受信するものである。この指定識別子要求受信手段３１１は、指定識別子要求を受信した段階で、指定識別子生成手段３２に対して、指定識別子ＩＤ３を生成する旨の要求を出力する。
【０２２８】
指定識別子送信手段３１２は、指定識別子生成手段３２で生成された指定識別子ＩＤ３を、通信送受信手段３０を介して、要求のあったデジタル放送送信装置１Ｅに送信するものである。
【０２２９】
指定識別子生成手段３２は、デジタル放送送信装置１Ｅごとに固有の識別子（指定識別子ＩＤ３）を生成するものである。この指定識別子ＩＤ３の生成手法は、重複した値とならなければ特にその手法は問わない。例えば、指定識別子生成手段３２は、要求のあった段階で順次連続番号となるように指定識別子ＩＤ３を生成する。
ここでは、指定識別子生成手段３２は、指定識別子要求受信手段３１１から、指定識別子ＩＤ３を生成する旨の要求を入力した段階で、指定識別子ＩＤ３を生成し、指定識別子送信手段３１２に出力するとともに、指定識別子記憶手段３３に書き込み記憶する。
【０２３０】
指定識別子記憶手段３３は、指定識別子生成手段３２で生成された指定識別子ＩＤ３を記憶するものであって、ハードディスク等の一般的な記憶媒体である。
このように、識別子管理装置３は、個々のデジタル放送送信装置１Ｅを識別するための識別子（指定識別子ＩＤ３）を、要求に応じて順次生成するため、ＩＣカード（ＣＡＳカード等）のカード番号のように予め識別子を管理しておく必要がなく、ＩＣカードのコストやそれらを管理するコストを削減することができる。
【０２３１】
［デジタル放送受信装置の構成］
次に、図２４を参照（適宜図２０参照）して、第５実施形態に係るデジタル放送受信装置の構成について説明する。ここでは、デジタル放送受信装置５Ｅは、放送受信手段５０と、共通メッセージ処理手段５１と、個別メッセージ処理手段５２Ｃと、記憶手段５３Ｄと、表示手段５４Ｃと、初期化手段５５Ｂと、を備えている。なお、図２４では、デジタル放送受信装置５Ｅを識別するための識別子および当該識別子を用いたメッセージ配信に関連する構成のみを図示し、一般的なデジタル放送受信装置の機能、例えば、コンテンツ受信に関連する構成については図示を省略している。
ここで、個別メッセージ処理手段５２Ｃ、記憶手段５３Ｄ、表示手段５４Ｃおよび初期化手段５５Ｂ以外の構成については、図４で説明したデジタル放送受信装置５Ａの構成と同一のものであるため、説明を省略する。
【０２３２】
個別メッセージ処理手段（個別メッセージ受信手段）５２Ｃは、放送受信手段５０を介して入力されたデジタル放送受信装置５Ｅごとに個別のメッセージである個別メッセージを解析し、メッセージに応じた処理を行うものである。ここでは、個別メッセージ処理手段５２Ｃは、メッセージ制御情報通知解析手段５２１Ｃと、指定識別子通知解析手段５２２と、を備えている。
【０２３３】
メッセージ制御情報通知解析手段５２１Ｃは、個別メッセージとして送信されたメッセージ制御情報通知（図４１（ｂ）（ｂ−１）参照）が、当該デジタル放送受信装置５Ｅ宛のメッセージであるか否かを解析し、当該デジタル放送受信装置５Ｅ宛のメッセージである場合に、メッセージ制御情報通知で通知されるメッセージ制御情報を処理するものである。
【０２３４】
具体的には、メッセージ制御情報通知解析手段５２１Ｃは、メッセージ制御情報通知（図４１（ｂ）（ｂ−１）参照）の宛先である指定識別子が、記憶手段５３Ｄに記憶されている指定識別子ＩＤ３と一致する場合に、メッセージ制御情報通知の内容であるメッセージ制御情報を記憶手段５３Ｄに書き込む。
例えば、メッセージ制御情報通知解析手段５２１Ｃは、個別メッセージの宛先が記憶手段５３Ｄに記憶されている指定識別子と同一の指定識別子であって、個別メッセージの内容であるメッセージ制御情報が「放送チャンネル契約あり（０ｘ０００１）」であった場合、記憶手段５３Ｄのメッセージ制御情報Ｍｃに“０ｘ０００１”の値を書き込む。
【０２３５】
指定識別子通知解析手段５２２は、個別メッセージとして送信された指定識別子通知（図４１（ｂ）（ｂ−２）参照）が、当該デジタル放送受信装置５Ｅ宛のメッセージであるか否かを解析し、当該デジタル放送受信装置５Ｅ宛のメッセージである場合に、指定識別子通知で通知される指定識別子を処理するものである。
【０２３６】
具体的には、指定識別子通知解析手段５２２は、指定識別子通知（図４１（ｂ）（ｂ−２）参照）の宛先である個別識別子が、記憶手段５３Ｄに記憶されている個別識別子ＩＤ２と一致する場合に、指定識別子通知の内容である指定識別子を記憶手段５３Ｄに書き込む。なお、個別メッセージの指定識別子通知のフォーマットが、図４１（ｂ）（ｂ−３）に示したように、メッセージの内容として、「メッセージ制御情報（Ｍｃ）」および「指定識別子（ＩＤ３）」が付加されたフォーマットの場合、指定識別子通知解析手段５２２は、宛先である個別識別子が、記憶手段５３Ｄに記憶されている個別識別子ＩＤ２と一致する場合に、指定識別子通知の内容である指定識別子を記憶手段５３Ｄに書き込むとともに、指定識別子通知の内容であるメッセージ制御情報を記憶手段５３Ｄに書き込む。
【０２３７】
記憶手段５３Ｄは、デジタル放送受信装置５Ｅ固有の情報を記憶するものであって、不揮発性メモリ（ＮＶＲＡＭ）等の一般的な記憶媒体である。この記憶手段５３Ｄには、メッセージ制御情報Ｍｃと、指定識別子ＩＤ３と、個別識別子ＩＤ２と、個人情報ＰＤとが記憶される。指定識別子ＩＤ３以外の情報は、図４のデジタル放送受信装置５Ａの記憶手段５３において説明したものと同一であるため、説明を省略する。
【０２３８】
指定識別子ＩＤ３は、デジタル放送送信装置１Ｅから、個別メッセージの指定識別子通知によって通知されたデジタル放送受信装置５Ｅを識別するための識別子である。この指定識別子ＩＤ３は、指定識別子通知解析手段５２２によって書き込まれる。
【０２３９】
この記憶手段５３Ｄに記憶される情報のうち、指定識別子ＩＤ３は、予め識別子として用いない初期値を設定しておくものとする。例えば、各識別値の初期値として、値“０”を設定しておく。これによって、初期設定時前に、当該デジタル放送受信装置５Ｅ宛のメッセージでないメッセージを誤って受信することを防止することができる。
【０２４０】
表示手段５４Ｃは、液晶ディスプレイ等の表示装置（図示せず）に表示データを表示するものである。ここでは、表示手段５４Ｃは、個別識別子表示手段５４１と、メッセージ表示手段５４２と、指定識別子表示手段５４３と、を備えている。指定識別子表示手段５４３以外の構成は、図４のデジタル放送受信装置５Ａの表示手段５４において説明したものと同一であるため、説明を省略する。
【０２４１】
指定識別子表示手段５４３は、記憶手段５３Ｄに記憶されている指定識別子ＩＤ３を、表示データとして表示するものである。この指定識別子表示手段５４３は、例えば、リモコン装置等の入力手段（図示せず）によって、初期設定画面の表示を指示されることで、記憶手段５３Ｄから、指定識別子ＩＤ３を読み出し、初期設定画面内の予め定めた領域に、指定識別子ＩＤ３の値をテキストデータ（１０進数の数字等で表現した文字列）として表示する。視聴者は、この画面上に表示された指定識別子ＩＤ３を、電話等によって放送事業者に通知することで、視聴契約や契約の変更等を行うことが可能になる。
なお、この指定識別子表示手段５４３は、指定識別子ＩＤ３が記憶手段５３Ｄに登録された後に機能するものとする。
【０２４２】
初期化手段５５Ｂは、記憶手段５３Ｄに記憶されているメッセージ制御情報Ｍｃおよび指定識別子ＩＤ３を初期化するものである。この初期化手段５５Ｂは、スイッチ等の入力手段（図示せず）からの初期化指示、あるいは、初期設定画面により初期化を指示されることで、記憶手段５３Ｄに記憶されているメッセージ制御情報Ｍｃおよび指定識別子ＩＤ３を初期値に設定する。
例えば、メッセージ制御情報Ｍｃとして、“０ｘ００００”が「放送チャンネル契約なし」、“０ｘ０００１”が「放送チャンネル契約あり」とした場合、初期化手段５５Ｂは、メッセージ制御情報Ｍｃを、初期値である“０ｘ００００”に設定する。
【０２４３】
また、初期化手段５５Ｂは、指定識別子ＩＤ３に、識別子として用いない初期値（例えば、値“０”）を設定する。これによって、デジタル放送受信装置５Ｅの所有者が変わる場合であっても、デジタル放送受信装置５Ｅを初期状態に設定し直すことができる。
【０２４４】
このように、デジタル放送受信装置５Ｅは、予めデジタル放送受信装置５Ｅ内に記憶されている個別識別子の値を視聴者が放送事業者に通知し、放送事業者が管理する指定識別子が割り振られることで、デジタル放送受信装置５Ｅ固有のメッセージを受信することが可能になるため、従来のような受信装置ごとのＣＡＳカード等のＩＣカードが不要となり、コストを軽減させることができる。
なお、デジタル放送受信装置５Ｅは、一般的なコンピュータを前記した各手段として機能させるプログラム（メッセージ受信プログラム）により動作させることができる。
【０２４５】
［デジタル放送システムの動作］
次に、図２５を参照（構成については、適宜図２２〜２４参照）して、第５実施形態に係るデジタル放送システムＳＥの動作について説明する。
【０２４６】
（識別子登録動作）
まず、デジタル放送受信装置５Ｅは、初期設定時において、表示手段５４Ｃの個別識別子表示手段５４１によって、記憶手段５３Ｄに記憶されている個別識別子ＩＤ２を読み出して、画面上に表示する（ステップＳ１０）。そして、視聴者は、画面上に表示された個別識別子ＩＤ２の値を、電話、ハガキ、インターネット等によって、氏名等の個人情報ＰＤとともに放送事業者に通知する（ステップＳ１１）。
【０２４７】
そして、放送事業者が、デジタル放送受信装置５Ｅ固有の個別識別子ＩＤ２を取得する（ステップＳ１２）。ここで、放送事業者のオペレータは、デジタル放送受信装置５Ｅにおいて、入力手段（図示せず）によって、視聴者から通知された個別識別子ＩＤ２の値を個人情報ＰＤとともに入力する（ステップＳ１３）。そして、デジタル放送送信装置１Ｅは、個別識別子登録手段１０Ｃによって、ステップＳ１３で入力された個別識別子ＩＤ２の値を個人情報ＰＤと対応付けて識別子記憶手段１４Ｂの識別子データベースに登録する（ステップＳ１４）。このステップＳ１０からＳ１４までの動作によって、デジタル放送送信装置１Ｅには、デジタル放送受信装置５Ｅ固有の識別子（個別識別子ＩＤ２）が登録される。
【０２４８】
（グループ化処理）
ステップＳ１４で識別子記憶手段１４Ｂの識別子データベースに個別識別子ＩＤ２が登録された後、デジタル放送送信装置１Ｅは、指定識別子取得手段２１の指定識別子要求手段２１１によって、指定識別子ＩＤ３を取得する旨の要求（指定識別子要求）を生成し、通信送受信手段２０を介して、識別子管理装置３に指定識別子要求を送信する（ステップＳ３０）。
【０２４９】
そして、識別子管理装置３は、指定識別子配信手段３１の指定識別子要求受信手段３１１によって、通信送受信手段３０を介して、指定識別子要求を受信する（ステップＳ３１）。その後、識別子管理装置３は、指定識別子生成手段３２によって、指定識別子ＩＤ３を生成する（ステップＳ３２）。さらに、識別子管理装置３は、指定識別子生成手段３２によって、ステップＳ３２で生成された指定識別子ＩＤ３を、指定識別子記憶手段３３（識別子データベース）に書き込み記憶する（ステップＳ３３）。
【０２５０】
そして、識別子管理装置３は、指定識別子配信手段３１の指定識別子送信手段３１２によって、ステップＳ３２で生成された指定識別子ＩＤ３を、通信送受信手段３０を介して、要求のあったデジタル放送送信装置１Ｅに送信する（ステップＳ３４）。
【０２５１】
そして、デジタル放送送信装置１Ｅは、指定識別子取得手段２１の指定識別子登録手段２１２によって、通信送受信手段２０を介して、識別子管理装置３から指定識別子ＩＤ３を受信し（ステップＳ３５）、識別子記憶手段１４Ｂの識別子データベースに登録する（ステップＳ３６）。
【０２５２】
そして、デジタル放送送信装置１Ｅは、個別メッセージ生成手段１６Ｂの指定識別子通知生成手段１６２によって、ステップＳ１３で入力された個別識別子ＩＤ２を宛先、メッセージ制御情報ＭｃおよびステップＳ３５で受信した指定識別子ＩＤ３を内容とした個別メッセージ（指定識別子通知〔メッセージ制御情報付き〕）を生成する（ステップＳ３７）。例えば、ここでは、このメッセージ制御情報Ｍｃを、「放送チャンネル契約あり（０ｘ０００１）」とする。
【０２５３】
そして、デジタル放送送信装置１Ｅは、放送送信手段１７によって、ステップＳ３７で生成された個別メッセージ（指定識別子通知〔メッセージ制御情報付き〕）を、放送波Ｗを介して、デジタル放送受信装置５Ｅに送信する（ステップＳ３８）。
【０２５４】
一方、デジタル放送受信装置５Ｅは、放送受信手段５０によって、放送波Ｗを介して、個別メッセージを受信する（ステップＳ３９）。そして、デジタル放送受信装置５Ｅは、個別メッセージ処理手段５２Ｃの指定識別子通知解析手段５２２によって、ステップＳ３９で受信した個別メッセージの指定識別子通知（メッセージ制御情報付き）が、当該デジタル放送受信装置５Ｅ宛のメッセージであるか否かを解析し、当該デジタル放送受信装置５Ｅ宛のメッセージである場合に、指定識別子通知で通知されるメッセージ制御情報Ｍｃを、記憶手段５３Ｄに書き込み記憶し（ステップＳ４０）、指定識別子通知で通知される指定識別子ＩＤ３を、記憶手段５３Ｄに書き込み記憶する（ステップＳ４１）。
これによって、デジタル放送受信装置５Ｅの記憶手段５３Ｄには、メッセージ制御情報Ｍｃとして、「放送チャンネル契約あり（０ｘ０００１）」が書き込まれることになる。
【０２５５】
その後、デジタル放送送信装置１Ｅは、共通メッセージ生成手段１５のメッセージ情報通知生成手段１５１によって、メッセージ情報を通知する共通メッセージを生成する（ステップＳ４２）。例えば、ここでは、共通メッセージ生成手段１５は、「放送チャンネル契約なし（０ｘ００００）」のメッセージ制御情報を宛先、「このチャンネルは未契約です」のメッセージ情報を内容とする共通メッセージ（メッセージ情報通知）を生成する。
【０２５６】
そして、デジタル放送送信装置１Ｅは、放送送信手段１７によって、ステップＳ４２で生成された共通メッセージ（メッセージ情報通知）を、放送波Ｗを介して、デジタル放送受信装置５Ｅに送信する（ステップＳ４３）。
【０２５７】
一方、デジタル放送受信装置５Ｅは、放送受信手段５０によって、放送波Ｗを介して、共通メッセージを受信する（ステップＳ４４）。そして、デジタル放送受信装置５Ｅは、共通メッセージ処理手段５１のメッセージ情報通知解析手段５１１によって、ステップＳ４４で受信した共通メッセージのメッセージ情報通知の宛先が記憶手段５３Ｄに記憶されているメッセージ制御情報Ｍｃと一致するか否かにより、共通メッセージが当該デジタル放送受信装置５Ｅ宛のメッセージであるか否かを解析する。
【０２５８】
そして、デジタル放送受信装置５Ｅは、ステップＳ４４で受信した共通メッセージが、当該デジタル放送受信装置５Ｅ宛のメッセージである場合に、メッセージ情報通知で通知されるメッセージ情報Ｍｓｇを処理する（ステップＳ４５）。例えば、記憶手段５３Ｄに記憶されているメッセージ情報Ｍｓｇが、「放送チャンネル契約なし（０ｘ００００）」であるときに、共通メッセージの宛先であるメッセージ制御情報が「放送チャンネル契約なし（０ｘ００００）」、共通メッセージの内容であるメッセージ情報が「このチャンネルは未契約です」のメッセージ情報通知を受信した場合、デジタル放送受信装置５Ｅは、メッセージ表示手段５４２によって、画面上に「このチャンネルは未契約です」を表示する。一方、記憶手段５３Ｃに記憶されているメッセージ情報Ｍｓｇが、「放送チャンネル契約あり（０ｘ０００１）」であれば、メッセージ表示手段５４２は、画面上に「このチャンネルは未契約です」の表示を行わずに動作を終了する。
このように、デジタル放送受信装置５Ｅは、メッセージ制御情報Ｍｃによって、グループ化（ここでは、契約の有無によるグループ化）されることになる。
【０２５９】
≪第６実施形態≫
［デジタル放送システムの概要］
次に、図２６を参照して、第６実施形態に係るデジタル放送システムＳＦの構成の概要について説明する。
【０２６０】
デジタル放送システムＳＦは、複数の放送事業者Ａ，Ｂ，…が有するデジタル放送送信装置１Ｆ（１），１Ｆ（１），…と、識別子管理装置３と、各家庭等に設置されたデジタル放送受信装置５Ｆ（５），５Ｆ（５），…とで構成され、デジタル放送送信装置１Ｆからデジタル放送で送信されるコンテンツ（放送番組）をデジタル放送受信装置５Ｆにおいて受信し、視聴者が視聴するシステムである。
【０２６１】
このデジタル放送システムＳＦは、デジタル放送送信装置１Ｆが、識別子管理装置３が管理する識別子（指定識別子）を、デジタル放送受信装置５Ｆ，５Ｆ，…ごとに個別に配信し、その指定識別子を用いて、デジタル放送受信装置５Ｆ宛の個別のメッセージ情報を送信することを可能にしている点については、デジタル放送システムＳＥ（図２０参照）と同じである。しかし、デジタル放送システムＳＦは、デジタル放送受信装置５Ｆから、指定識別子を配信する宛先となる個別識別子ＩＤ２をデジタル放送送信装置１Ｆに通知する際、並びに、デジタル放送送信装置１Ｆから、指定識別子ＩＤ３をデジタル放送受信装置５Ｆに通知する際に、電話回線、インターネット回線等を用いたネットワークＮ２を介して通知する点が相違している。
【０２６２】
なお、デジタル放送システムＳＦの動作の概要は、図２１で説明したデジタル放送システムＳＥの動作とほぼ同様であるが、図２７に示すように、ステップＳＦ１において、デジタル放送受信装置５Ｆから、通信（ネットワークＮ２）により個別識別子ＩＤ２をデジタル放送送信装置１Ｆに送信し、ステップＳＦ３において、デジタル放送送信装置１Ｆから、通信（ネットワークＮ２）により指定識別子ＩＤ３を送信する点が相違している。
【０２６３】
以下、第６実施形態に係るデジタル放送システムＳＦにおけるデジタル放送送信装置１Ｆおよびデジタル放送受信装置５Ｆの構成および動作について、第６実施形態に係るデジタル放送システムＳＥ（図２０参照）との相違点を中心に説明する。識別子管理装置３は、デジタル放送システムＳＥと同一の構成であるため説明を省略する。
【０２６４】
［デジタル放送送信装置の構成］
まず、図２８を参照（適宜図２６参照）して、第６実施形態に係るデジタル放送送信装置の構成について説明する。ここでは、デジタル放送送信装置１Ｆは、個別識別子登録手段１０Ｄと、メッセージ情報記憶手段１１と、メッセージ制御情報記憶手段１２と、メッセージ制御情報個別更新手段１３Ｂと、識別子記憶手段１４Ｃと、共通メッセージ生成手段１５と、個別メッセージ生成手段１６Ｃと、放送送信手段１７と、通信送受信手段２０と、指定識別子取得手段２１と、第２通信送受信手段２２と、を備えている。なお、図２８では、デジタル放送受信装置５Ｆを識別するための識別子および当該識別子を用いたメッセージ配信に関連する構成のみを図示し、一般的なデジタル放送送信装置の機能、例えば、コンテンツ配信に関連する構成については図示を省略している。
【０２６５】
ここで、個別識別子登録手段１０Ｄと、識別子記憶手段１４Ｃ、個別メッセージ生成手段１６Ｃおよび第２通信送受信手段２２以外の構成については、図２２で説明したデジタル放送送信装置１Ｅの構成と同一であるため、同一の符号を付して説明を省略する。
【０２６６】
個別識別子登録手段１０Ｄは、デジタル放送受信装置５Ｆ固有の識別子である個別識別子ＩＤ２と視聴者の個人情報ＰＤとを、第２通信送受信手段２２を介して受信し、当該個別識別子ＩＤ２を送信したデジタル放送受信装置５ＦのネットワークアドレスＡｄｒとともに、識別子記憶手段１４Ｃに登録（記憶）するものである。
なお、個別識別子登録手段１０Ｄは、個別識別子ＩＤ２と視聴者の個人情報ＰＤとを受信した段階で、指定識別子取得手段２１に対して、指定識別子ＩＤ３を取得する旨の指示を出力する。
【０２６７】
識別子記憶手段１４Ｃは、個別識別子登録手段１０Ｄにより登録される個別識別子ＩＤ２、個人情報ＰＤおよびデジタル放送受信装置５ＦのネットワークアドレスＡｄｒと、指定識別子取得手段２１で取得した指定識別子ＩＤ３と、を対応付けて記憶するものであって、ハードディスク等の一般的な記憶媒体である。この識別子記憶手段１４Ｃは、個別識別子ＩＤ２、指定識別子ＩＤ３ごとに、視聴者の氏名、住所、電話番号等の個人情報ＰＤを対応付けてデータベース化する。なお、識別子記憶手段１４Ｃのデータベースには、個別識別子ＩＤ２や指定識別子ＩＤ３が登録されるまでは、識別子と認識されない予め定めた初期値が設定されているものとする。
【０２６８】
個別メッセージ生成手段１６Ｃは、個々のデジタル放送受信装置５Ｆに個別に送信するメッセージ（個別メッセージ）を生成するものである。ここでは、個別メッセージ生成手段１６Ｃは、メッセージ制御情報通知生成手段１６１Ｃと、指定識別子通知生成手段１６２Ｃと、を備えている。
【０２６９】
メッセージ制御情報通知生成手段１６１Ｃは、図２２で説明したメッセージ制御情報通知生成手段１６１Ｂと同様の機能を有するものである。ただし、メッセージ制御情報通知生成手段１６１Ｃは、生成した個別メッセージ（メッセージ制御情報通知）を、第２通信送受信手段２２により、ネットワークＮ２を介して、デジタル放送受信装置５Ｆに送信する点が異なっている。すなわち、メッセージ制御情報通知生成手段１６１Ｃは、識別子記憶手段１４Ｃで対応付けされている指定識別子ＩＤ３に対応するネットワークアドレスＡｄｒ先のデジタル放送受信装置５Ｆに対して、個別メッセージ（メッセージ制御情報通知）を送信する。
【０２７０】
指定識別子通知生成手段１６２Ｃは、図２２で説明した指定識別子通知生成手段１６２と同様の機能を有するものである。ただし、指定識別子通知生成手段１６２Ｃは、生成した個別メッセージ（指定識別子通知）を、第２通信送受信手段２２により、ネットワークＮ２を介して、デジタル放送受信装置５Ｆに送信する点が異なっている。すなわち、指定識別子通知生成手段１６２Ｃは、識別子記憶手段１４Ｃで対応付けされている個別識別子ＩＤ２に対応するネットワークアドレスＡｄｒ先のデジタル放送受信装置５Ｆに対して、個別メッセージ（指定識別子通知）を送信する。
【０２７１】
この指定識別子通知生成手段１６２Ｃは、第２通信送受信手段２２により指定識別子通知を送信し、受信確認通知を受信したタイミングで、識別子記憶手段１４Ｃから個別識別子ＩＤ２を削除することとしてもよい。以降の動作において、指定識別子ＩＤ３により、デジタル放送受信装置５Ｆを特定することができるからである。
【０２７２】
なお、個別メッセージ生成手段１６Ｃは、すべての個別メッセージを通信データとして送信する必要はなく、メッセージ制御情報通知生成手段１６１Ｃが生成するメッセージ制御情報通知や、指定識別子通知生成手段１６２Ｃが生成する指定識別子通知以外の個別メッセージ、例えば、メール等については、放送送信手段１７を介して放送データとして送信することとしてもよい。
【０２７３】
第２通信送受信手段２２は、ネットワークＮ２を介して、デジタル放送受信装置５Ｆとの間で通信データを送受信するものであって、例えば、通信制御ボードである。ここでは、第２通信送受信手段２２は、個別メッセージ生成手段１６Ｃで生成される個別メッセージを、通信データとして、ネットワークＮ２を介してデジタル放送受信装置５Ｆに送信する。また、第２通信送受信手段２２は、デジタル放送受信装置５Ｆから、登録を行う個別識別子ＩＤ２と個人情報ＰＤとを受信し、個別識別子登録手段１０Ｄに出力する。
【０２７４】
このように、デジタル放送送信装置１Ｆは、従来のＣＡＳカードのカード番号のように、放送事業者において、予め受信装置ごとに固有の識別子を管理しておく必要がない。また、デジタル放送送信装置１Ｆは、識別子（個別識別子ＩＤ２）を登録する際にオペレータ等の人手を介することなく、識別子登録処理を自動化することができる。
なお、デジタル放送送信装置１Ｆは、一般的なコンピュータを前記した各手段として機能させるプログラム（メッセージ送信プログラム）により動作させることができる。
【０２７５】
［デジタル放送受信装置の構成］
次に、図２９を参照（適宜図２６参照）して、第６実施形態に係るデジタル放送受信装置の構成について説明する。ここでは、デジタル放送受信装置５Ｆは、放送受信手段５０と、共通メッセージ処理手段５１と、個別メッセージ処理手段５２Ｄと、記憶手段５３Ｄと、表示手段５４Ｄと、初期化手段５５Ｂと、個別識別子登録要求手段５６Ｄと、通信送受信手段５７Ｂと、を備えている。なお、図２９では、デジタル放送受信装置５Ｆを識別するための識別子および当該識別子を用いたメッセージ配信に関連する構成のみを図示し、一般的なデジタル放送受信装置の機能、例えば、コンテンツ受信に関連する構成については図示を省略している。
【０２７６】
ここで、個別メッセージ処理手段５２Ｄ、表示手段５４Ｄと、個別識別子登録要求手段５６Ｄおよび通信送受信手段５７Ｂ以外の構成については、図２４で説明したデジタル放送受信装置５Ｅの構成と同一のものであるため、同一の符号を付して説明を省略する。
【０２７７】
個別メッセージ処理手段（個別メッセージ受信手段）５２Ｄは、通信送受信手段５７Ｂを介して入力されたデジタル放送受信装置５Ｆごとに個別のメッセージである個別メッセージを解析し、メッセージに応じた処理を行うものである。ここでは、個別メッセージ処理手段５２Ｄは、メッセージ制御情報通知解析手段５２１Ｄと、指定識別子通知解析手段５２２Ｄと、を備えている。
【０２７８】
メッセージ制御情報通知解析手段５２１Ｄは、図２４で説明したメッセージ制御情報通知解析手段５２１Ｃと同様の機能を有するものである。ただし、メッセージ制御情報通知解析手段５２１Ｄは、個別メッセージ（メッセージ制御情報通知）を通信送受信手段５７Ｂにより、ネットワークＮ２を介して受信する点が異なっている。
【０２７９】
指定識別子通知解析手段５２２Ｄは、図２４で説明した指定識別子通知解析手段５２２と同様の機能を有するものである。ただし、指定識別子通知解析手段５２２Ｄは、個別メッセージ（指定識別子通知）を通信送受信手段５７Ｂにより、ネットワークＮ２を介して受信する点が異なっている。
【０２８０】
表示手段５４Ｄは、液晶ディスプレイ等の表示装置（図示せず）に表示データを表示するものである。ここでは、表示手段５４Ｄは、図２４で説明した表示手段５４Ｃから、個別識別子表示手段５４１を省いて構成している。
【０２８１】
個別識別子登録要求手段５６Ｄは、記憶手段５３Ｄに記憶されている個別識別子ＩＤ２と個人情報ＰＤとを登録する旨の要求（識別子登録要求）を、通信送受信手段５７Ｂを介して、デジタル放送送信装置１Ｆに送信するものである。この個別識別子登録要求手段５６Ｄは、例えば、チャンネル設定等の初期設定時に、記憶手段５３Ｄから個別識別子ＩＤ２を読み出すとともに、同じく初期設定時に設定される個人情報ＰＤを用いて、識別子登録要求を生成し、デジタル放送送信装置１Ｆに送信する。
【０２８２】
なお、個別識別子登録要求手段５６Ｄは、識別子登録要求を送信後、個別メッセージ（指定識別子通知）が通知されるか、あるいは、指定識別子ＩＤ３が記憶手段５３Ｄに登録されるか否かを監視し、予め定めた時間内に通知あるいは登録が行われない場合、再度識別子登録要求を送信することとしてもよい。これによって、確実に指定識別子の登録が行われることになる。
【０２８３】
また、この個別識別子登録要求手段５６Ｄは、図９で説明した個別識別子登録要求手段５６Ｂと同様に、通信送受信手段５７Ｂに設定されている個別情報は、例えば、ネットワークインタフェースカード（ＮＩＣ）のＭＡＣアドレスを個別識別子ＩＤ２として用いることとしてもよい。
【０２８４】
通信送受信手段５７Ｂは、ネットワークＮ２を介して、デジタル放送送信装置１Ｆとの間で通信データを送受信するものであって、例えば、通信制御ボードである。ここでは、通信送受信手段５７Ｂは、ネットワークＮ２を介して受信した個別メッセージを個別メッセージ処理手段５２Ｄに出力する。また、通信送受信手段５７Ｂは、個別識別子登録要求手段５６Ｄから入力された識別子登録要求を、ネットワークＮ２を介してデジタル放送送信装置１Ｆに送信する。
なお、デジタル放送受信装置５Ｆは、一般的なコンピュータを前記した各手段として機能させるプログラム（メッセージ受信プログラム）により動作させることができる。
【０２８５】
［デジタル放送システムの動作］
次に、図３０を参照（構成については、適宜図２８，２９参照）して、第６実施形態に係るデジタル放送システムＳＦの動作について説明する。
【０２８６】
（識別子登録動作）
まず、デジタル放送受信装置５Ｆは、個別識別子登録要求手段５６Ｄによって、記憶手段５３Ｄに記憶されている個別識別子ＩＤ２と個人情報ＰＤとを読み出す（ステップＳ１０Ｂ）。そして、デジタル放送受信装置５Ｆは、通信送受信手段５７Ｂによって、ステップＳ１０Ｂで読み出した個別識別子ＩＤ２と個人情報ＰＤとをデジタル放送送信装置１Ｆに送信する（ステップＳ１１Ｂ）。
【０２８７】
一方、デジタル放送送信装置１Ｆは、第２通信送受信手段２２によって、ステップＳ１１Ｂで送信された個別識別子ＩＤ２と個人情報ＰＤとを受信する（ステップＳ１２Ｂ）。そして、デジタル放送送信装置１Ｆは、個別識別子登録手段１０Ｄによって、ステップＳ１２Ｂで受信した個別識別子ＩＤ２と、個人情報ＰＤと、当該個別識別子ＩＤ２を送信したデジタル放送受信装置５ＦのネットワークアドレスＡｄｒとを対応付けて識別子記憶手段１４Ｃの識別子データベースに登録する（ステップＳ１４）。このステップＳ１０ＢからＳ１４までの動作によって、デジタル放送送信装置１Ｆには、デジタル放送受信装置５Ｆ固有の識別子（個別識別子ＩＤ２）が登録される。
【０２８８】
なお、ステップＳ３０以降の動作については、基本的に図２５で説明したデジタル放送システムＳＥの動作と同一である。ただし、デジタル放送送信装置１Ｆが、ステップＳ３８Ｂにおいて、個別メッセージを通信（ネットワーク）により送信する点が異なっている。
以上の動作によって、デジタル放送システムＳＦは、予め受信装置にＩＣカードを付与することなく、個々の受信装置の識別子を管理し、メッセージを送信することが可能になる。
【０２８９】
≪第７実施形態≫
［デジタル放送システムの概要］
次に、図３１を参照して、第７実施形態に係るデジタル放送システムＳＧの構成の概要について説明する。
【０２９０】
デジタル放送システムＳＧは、複数の放送事業者Ａ，Ｂ，…が有するデジタル放送送信装置１Ｇ（１），１Ｇ（１），…と、識別子管理装置３と、各家庭等に設置されたデジタル放送受信装置５Ｇ（５），５Ｇ（５），…とで構成され、デジタル放送送信装置１Ｇからデジタル放送で送信されるコンテンツ（放送番組）をデジタル放送受信装置５Ｇにおいて受信し、視聴者が視聴するシステムである。
このデジタル放送システムＳＧは、識別子管理装置３が管理する識別子（指定識別子）を、デジタル放送受信装置５Ｇ，５Ｇ，…ごとに個別に配信し、その指定識別子を用いて、デジタル放送受信装置５Ｇ宛の個別のメッセージ情報を送信することを可能にしている。
【０２９１】
このデジタル放送システムＳＧは、識別子管理装置３が管理する指定識別子を用いて、デジタル放送受信装置５Ｇ宛の個別のメッセージ情報を送信することを可能にしている点については、デジタル放送システムＳＥ（図２１参照）と同じである。しかし、デジタル放送システムＳＧは、デジタル放送受信装置５Ｇからデジタル放送送信装置１Ｆに通知する個別識別子ＩＤ２を、デジタル放送受信装置５Ｇで生成する点が相違している。
なお、デジタル放送システムＳＧの動作の概要は、図２１で説明したデジタル放送システムＳＥの動作と同様であるため説明を省略する。
【０２９２】
以下、第７実施形態に係るデジタル放送システムＳＧにおけるデジタル放送送信装置１Ｇおよびデジタル放送受信装置５Ｇの構成および動作について、他の実施形態との相違点を中心に説明する。識別子管理装置３は、デジタル放送システムＳＥと同一の構成であるため説明を省略する。
【０２９３】
［デジタル放送送信装置の構成］
まず、図３２を参照（適宜図３１参照）して、第７実施形態に係るデジタル放送送信装置の構成について説明する。ここでは、デジタル放送送信装置１Ｇは、メッセージ情報記憶手段１１と、メッセージ制御情報記憶手段１２と、メッセージ制御情報個別更新手段１３Ｂと、識別子記憶手段１４Ｂと、共通メッセージ生成手段１５と、個別メッセージ生成手段１６Ｂと、放送送信手段１７と、識別子登録手段１９Ｃと、通信送受信手段２０と、指定識別子取得手段２１と、を備えている。
ここで、識別子登録手段１９Ｃ以外の構成は、図２２で説明したデジタル放送送信装置１Ｅの構成と同一であるため、同一の符号を付して説明を省略する。
【０２９４】
識別子登録手段１９Ｃは、デジタル放送受信装置５Ｇで生成された識別子である個別識別子ＩＤ２と視聴者の個人情報ＰＤとを外部から入力し、記憶手段（識別子記憶手段１４Ｂ）の識別子データベースに登録するものである。ここでは、識別子登録手段１９Ｃは、個別識別子重複判定手段１９１Ｃと、個別識別子登録手段１９２Ｃと、を備えている。
【０２９５】
個別識別子重複判定手段１９１Ｃは、外部から入力された個別識別子ＩＤ２が、識別子記憶手段１４Ｂに登録（記憶）されているか否かを判定するものである。この個別識別子重複判定手段１９１Ｃは、すでに個別識別子ＩＤ２が識別子記憶手段１４Ｂに登録されている場合、その旨を表示装置（図示せず）に表示する。一方、まだ個別識別子ＩＤ２が識別子記憶手段１４Ｂに登録されていない場合、登録の指示を個別識別子登録手段１９２Ｃに通知するとともに、指定識別子取得手段２１に対して、指定識別子ＩＤ３を取得する旨の指示を通知する。
【０２９６】
個別識別子登録手段１９２Ｃは、個別識別子ＩＤ２と視聴者の個人情報ＰＤとを識別子記憶手段１４Ｂに登録（記憶）するものである。ここでは、個別識別子登録手段１９２Ｃは、個別識別子重複判定手段１９１Ｃから、個別識別子ＩＤ２の登録の指示があった段階で、個別識別子ＩＤ２を個人情報ＰＤと対応付けて識別子記憶手段１４Ｂに登録する。
【０２９７】
また、ここでは、個別識別子登録手段１９２Ｃは、入力された個別識別子ＩＤ２を個別メッセージ生成手段１６Ｂの指定識別子通知生成手段１６２に出力する。なお、この指定識別子通知生成手段１６２への出力は、個別識別子ＩＤ２を入力された段階で、デジタル放送受信装置５Ｅからの登録を受け付け、指定識別子ＩＤ３を通知する個別メッセージを配信するために行うものである。
【０２９８】
このように、デジタル放送送信装置１Ｇは、予め受信装置にＩＣカード（ＣＡＳカード等）を配布しておかなくても、後から個々の受信装置に識別子（指定識別子）を設定することができる。これによって、ＩＣカードのコストやそれらを管理するコストを削減することができる。
なお、デジタル放送送信装置１Ｇは、一般的なコンピュータを前記した各手段として機能させるプログラム（メッセージ送信プログラム）により動作させることができる。
【０２９９】
［デジタル放送受信装置の構成］
次に、図３３を参照（適宜図３１参照）して、第７実施形態に係るデジタル放送受信装置の構成について説明する。ここでは、デジタル放送受信装置５Ｇは、放送受信手段５０と、共通メッセージ処理手段５１と、個別メッセージ処理手段５２Ｃと、記憶手段５３Ｅと、表示手段５４Ｃと、初期化手段５５Ｂと、個別識別子再設定手段５８と、計時手段５９と、個別識別子生成手段６０と、を備えている。なお、図３３では、デジタル放送受信装置５Ｇを識別するための識別子および当該識別子を用いたメッセージ配信に関連する構成のみを図示し、一般的なデジタル放送受信装置の機能、例えば、コンテンツ受信に関連する構成については図示を省略している。
【０３００】
ここで、放送受信手段５０、共通メッセージ処理手段５１、個別メッセージ処理手段５２Ｃ、表示手段５４Ｃおよび初期化手段５５Ｂについては、図２４で説明したデジタル放送受信装置５Ｅの構成と同一であるため、同一の符号を付して説明を省略する。
また、個別識別子再設定手段５８、計時手段５９および個別識別子生成手段６０については、図１４で説明したデジタル放送受信装置５Ｃの構成と同一であるため、同一の符号を付して説明を省略する。
また、記憶手段５３Ｅに記憶する各種情報は、図２４の記憶手段５３Ｄに記憶する各種情報に、図１４の記憶手段５３Ｃに記憶する受信機情報Ｔｉを付加したものである。
【０３０１】
このように、デジタル放送受信装置５Ｇは、ランダムな仮識別子ＩＤ１から、個別識別子ＩＤ２を生成することで、個別識別子ＩＤ２が個々のデジタル放送受信装置５Ｇにおいて重複する可能性を極力抑えることができる。
また、デジタル放送受信装置５Ｇは、放送事業者が管理する指定識別子により、デジタル放送受信装置５Ｇ固有のメッセージを受信することが可能になるため、従来のような受信装置ごとのＣＡＳカード等のＩＣカードが不要となり、コストを軽減させることができる。
なお、デジタル放送受信装置５Ｇは、一般的なコンピュータを前記した各手段として機能させるプログラム（メッセージ受信プログラム）により動作させることができる。
【０３０２】
［デジタル放送システムの動作］
図３４には、第７実施形態に係るデジタル放送システムＳＧの動作を示すフローチャートを示している。
ここで、ステップＳ１０ＣからステップＳ１４までの動作は、図１５で説明したデジタル放送システムＳＣの動作と同一である。また、ステップＳ３０以降の動作については、図２５で説明したデジタル放送システムＳＥの動作と同一である。よって、ここでは、同一のステップ番号を付して説明を省略する。
【０３０３】
≪第８実施形態≫
［デジタル放送システムの概要］
次に、図３５を参照して、第８実施形態に係るデジタル放送システムＳＨの構成の概要について説明する。
【０３０４】
デジタル放送システムＳＨは、複数の放送事業者Ａ，Ｂ，…が有するデジタル放送送信装置１Ｈ（１），１Ｈ（１），…と、識別子管理装置３と、各家庭等に設置されたデジタル放送受信装置５Ｈ（５），５Ｈ（５），…とで構成され、デジタル放送送信装置１Ｈからデジタル放送で送信されるコンテンツ（放送番組）をデジタル放送受信装置５Ｈにおいて受信し、視聴者が視聴するシステムである。
【０３０５】
このデジタル放送システムＳＨは、識別子管理装置３が管理する識別子（指定識別子）を用いて、デジタル放送受信装置５Ｈ宛の個別のメッセージ情報を送信することを可能にしている点については、デジタル放送システムＳＦ（図２６参照）と同じである。しかし、デジタル放送システムＳＨは、デジタル放送受信装置５Ｈからデジタル放送送信装置１Ｈに通知する個別識別子ＩＤ２を、デジタル放送受信装置５Ｈで生成する点が相違している。
【０３０６】
なお、デジタル放送システムＳＨの動作の概要は、図２７で説明したデジタル放送システムＳＦの動作と同様であるため説明を省略する。
【０３０７】
以下、第８実施形態に係るデジタル放送システムＳＨにおけるデジタル放送送信装置１Ｈおよびデジタル放送受信装置５Ｈの構成および動作について、他の実施形態との相違点を中心に説明する。識別子管理装置３は、デジタル放送システムＳＥと同一の構成であるため説明を省略する。
【０３０８】
［デジタル放送送信装置の構成］
まず、図３６を参照（適宜図３５参照）して、第８実施形態に係るデジタル放送送信装置の構成について説明する。ここでは、デジタル放送送信装置１Ｈは、メッセージ情報記憶手段１１と、メッセージ制御情報記憶手段１２と、メッセージ制御情報個別更新手段１３Ｂと、識別子記憶手段１４Ｃと、共通メッセージ生成手段１５と、個別メッセージ生成手段１６Ｃと、放送送信手段１７と、識別子登録手段１９Ｄと、通信送受信手段２０と、指定識別子取得手段２１と、第２通信送受信手段２２と、を備えている。なお、図３６では、デジタル放送受信装置５Ｈを識別するための識別子および当該識別子を用いたメッセージ配信に関連する構成のみを図示し、一般的なデジタル放送送信装置の機能、例えば、コンテンツ配信に関連する構成については図示を省略している。
ここで、識別子登録手段１９Ｄ以外の構成については、図２８で説明したデジタル放送送信装置１Ｆの構成と同一であるため、同一の符号を付して説明を省略する。
【０３０９】
識別子登録手段１９Ｄは、デジタル放送受信装置５Ｈで生成された識別子である個別識別子ＩＤ２を第２通信送受信手段２２から受信し、記憶手段（識別子記憶手段１４Ｃ）の識別子データベースに登録するものである。ここでは、識別子登録手段１９Ｄは、個別識別子重複判定手段１９１Ｄと、個別識別子登録手段１９２Ｄと、個別識別子再要求手段１９３Ｄと、を備えている。
【０３１０】
個別識別子重複判定手段１９１Ｄは、ネットワークＮ２を介して第２通信送受信手段２２で受信した個別識別子ＩＤ２が、識別子記憶手段１４Ｃに登録（記憶）されているか否かを判定するものである。この個別識別子重複判定手段１９１Ｄは、まだ個別識別子ＩＤ２が識別子記憶手段１４Ｃに登録されていないと判定した場合、個別識別子ＩＤ２を登録する指示を個別識別子登録手段１９２Ｄに出力する。一方、すでに個別識別子ＩＤ２が識別子記憶手段１４Ｃに登録されていると判定した場合、個別識別子重複判定手段１９１Ｄは、他の個別識別子ＩＤ２を要求（再要求）する旨の指示を、個別識別子再要求手段１９３Ｄに出力する。
【０３１１】
個別識別子登録手段１９２Ｄは、個別識別子ＩＤ２と、個人情報ＰＤと、当該個別識別子ＩＤ２を送信したデジタル放送受信装置５ＨのネットワークアドレスＡｄｒとを識別子記憶手段１４Ｃに登録（記憶）するものである。ここでは、個別識別子登録手段１９２Ｄは、個別識別子重複判定手段１９１Ｄから、個別識別子ＩＤ２の登録の指示があった段階で、個別識別子ＩＤ２と個人情報ＰＤと、ネットワークアドレスＡｄｒとを対応付けて識別子記憶手段１４Ｃに登録する。
【０３１２】
また、ここでは、個別識別子登録手段１９２Ｄは、個別識別子ＩＤ２を個別メッセージ生成手段１６Ｃの指定識別子通知生成手段１６２Ｃに出力する。なお、この指定識別子通知生成手段１６２Ｃへの出力は、個別識別子ＩＤ２を受信した段階で、デジタル放送受信装置５Ｈに登録を受け付け、指定識別子ＩＤ３を通知する個別メッセージを配信するために行うものである。
【０３１３】
このように、デジタル放送送信装置１Ｈは、従来のＣＡＳカードのカード番号のように、放送事業者において、予め受信装置ごとに固有の識別子を管理しておく必要がない。また、デジタル放送送信装置１Ｈは、識別子（個別識別子ＩＤ２）を登録する際にオペレータ等の人手を介することなく、識別子登録処理を自動化することができる。
なお、デジタル放送送信装置１Ｈは、一般的なコンピュータを前記した各手段として機能させるプログラム（メッセージ送信プログラム）により動作させることができる。
【０３１４】
［デジタル放送受信装置の構成］
次に、図３７を参照（適宜図３５参照）して、第８実施形態に係るデジタル放送受信装置の構成について説明する。ここでは、デジタル放送受信装置５Ｈは、放送受信手段５０と、共通メッセージ処理手段５１と、個別メッセージ処理手段５２Ｄと、記憶手段５３Ｅと、表示手段５４Ｄと、初期化手段５５Ｂと、個別識別子登録要求手段５６Ｃと、通信送受信手段５７Ｂと、計時手段５９と、個別識別子生成手段６０と、を備えている。なお、図３７では、デジタル放送受信装置５Ｈを識別するための識別子および当該識別子を用いたメッセージ配信に関連する構成のみを図示し、一般的なデジタル放送受信装置の機能、例えば、コンテンツ受信に関連する構成については図示を省略している。
【０３１５】
ここで、記憶手段５３Ｅ、個別識別子登録要求手段５６Ｃ、計時手段５９および個別識別子生成手段６０以外の構成については、図２９で説明したデジタル放送受信装置５Ｆの構成と同一である。
また、個別識別子登録要求手段５６Ｃ、計時手段５９および個別識別子生成手段６０については、図１８で説明したデジタル放送受信装置５Ｄの構成と同一であり、記憶手段５３Ｅは、図３３の記憶手段５３Ｅと同一である。よって、ここでは、同一の符号を付して説明を省略する。なお、デジタル放送受信装置５Ｈは、一般的なコンピュータを前記した各手段として機能させるプログラム（メッセージ受信プログラム）により動作させることができる。
【０３１６】
［デジタル放送システムの動作］
図３８には、第８実施形態に係るデジタル放送システムＳＨの動作を示すフローチャートを示している。
ここで、ステップＳ１０ＥからステップＳ１４までの動作は、図１９で説明したデジタル放送システムＳＤの動作と同一である。また、ステップＳ３０以降の動作については、図３０で説明したデジタル放送システムＳＦの動作と同一である。よって、ここでは、同一のステップ番号を付して説明を省略する。
【符号の説明】
【０３１７】
１      デジタル放送送信装置（メッセージ送信装置）
１０    個別識別子登録手段
１１    メッセージ情報記憶手段
１２    メッセージ制御情報記憶手段
１３    メッセージ制御情報個別更新手段
１４    識別子記憶手段
１５    共通メッセージ生成手段
１５１  メッセージ情報通知生成手段
１６    個別メッセージ生成手段
１６１  メッセージ制御情報通知生成手段
１６２  指定識別子通知生成手段
１７    放送送信手段
１８    通信送受信手段
１９    識別子登録手段
１９１  個別識別子重複判定手段
１９２  個別識別子登録手段
１９３  個別識別子再要求手段
２０    通信送受信手段
２１    指定識別子取得手段
２１１  指定識別子要求手段
２１２  指定識別子登録手段
２２    第２通信送受信手段
３      識別子管理装置
３０    通信送受信手段
３１    指定識別子配信手段
３１１  指定識別子要求受信手段
３１２  指定識別子送信手段
３２    指定識別子生成手段
３３    指定識別子記憶手段
５      デジタル放送受信装置（メッセージ受信装置）
５０    放送受信手段
５１    共通メッセージ処理手段（共通メッセージ受信手段）
５２    個別メッセージ処理手段（個別メッセージ受信手段）
５２１  メッセージ制御情報通知解析手段
５２２  指定識別子通知解析手段
５３    記憶手段（制御情報記憶手段）
５４    表示手段
５４１  個別識別子表示手段
５４２  メッセージ表示手段
５５    初期化手段
５６    個別識別子登録要求手段
５７    通信送受信手段
５８    個別識別子再設定手段
５９    計時手段
６０    個別識別子生成手段
６０１  乱数発生手段
６０２  仮識別子生成手段
６０３  ハッシュ関数演算手段
【図１】
2011044948.tif 000003
【図２】
2011044948.tif 000004
【図３】
2011044948.tif 000005
【図４】
2011044948.tif 000006
【図５】
2011044948.tif 000007
【図６】
2011044948.tif 000008
【図７】
2011044948.tif 000009
【図８】
2011044948.tif 000010
【図９】
2011044948.tif 000011
【図１０】
2011044948.tif 000012
【図１１】
2011044948.tif 000013
【図１２】
2011044948.tif 000014
【図１３】
2011044948.tif 000015
【図１４】
2011044948.tif 000016
【図１５】
2011044948.tif 000017
【図１６】
2011044948.tif 000018
【図１７】
2011044948.tif 000019
【図１８】
2011044948.tif 000020
【図１９】
2011044948.tif 000021
【図２０】
2011044948.tif 000022
【図２１】
2011044948.tif 000023
【図２２】
2011044948.tif 000024
【図２３】
2011044948.tif 000025
【図２４】
2011044948.tif 000026
【図２５】
2011044948.tif 000027
【図２６】
2011044948.tif 000028
【図２７】
2011044948.tif 000029
【図２８】
2011044948.tif 000030
【図２９】
2011044948.tif 000031
【図３０】
2011044948.tif 000032
【図３１】
2011044948.tif 000033
【図３２】
2011044948.tif 000034
【図３３】
2011044948.tif 000035
【図３４】
2011044948.tif 000036
【図３５】
2011044948.tif 000037
【図３６】
2011044948.tif 000038
【図３７】
2011044948.tif 000039
【図３８】
2011044948.tif 000040
【図３９】
2011044948.tif 000041
【図４０】
2011044948.tif 000042
【図４１】
2011044948.tif 000043
【図４２】
2011044948.tif 000044
【図４３】
2011044948.tif 000045
【図４４】
2011044948.tif 000046